(57)【要約】高密度データを再生可能とした光ディスクを実現し、高密度データを記録した光ディスクからのデータ再生を行なう再生装置を提供する。光検出部は、ディスクのトラック方向に２分割された検出部Ａ，Ｂを有し、信号処理部は、検出部Ａ，Ｂの各検出信号の差分信号であるＴＰＰ（Ｔａｎｇｅｎｔｉａｌ  Ｐｕｓｈ−ｐｕｌｌ）信号を生成し、ＴＰＰ信号から、ディスクの記録信号中の高周波成分信号を抽出して再生信号を生成する。ディスクは、カットオフ周波数以上の高周波凹凸パターンからなるキャリア信号上に記録信号が記録された構成であり、信号処理部は、キャリア信号と記録信号の重複信号の読み取り信号として得られるＴＰＰ信号を周波数シフトして、ディスクに記録された記録信号中の高周波成分信号を復元する。
2017094541.tif 000002
【特許請求の範囲】
【請求項１】
ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記信号処理部は、
前記検出部Ａ，Ｂの各検出信号の差分信号であるＴＰＰ（Ｔａｎｇｅｎｔｉａｌ  Ｐｕｓｈ−ｐｕｌｌ）信号を生成し、
前記ＴＰＰ信号から、前記ディスクに記録された記録信号中の高周波成分信号を演算により抽出して再生信号を生成する情報処理装置。
【請求項２】
前記ディスクは、カットオフ周波数以上の高周波凹凸パターンからなるキャリアグルーブによって構成されるキャリア信号上に記録信号が記録された構成であり、
前記信号処理部は、
前記キャリア信号と前記記録信号の重複信号を周波数シフトした読み取り信号として得られる前記ＴＰＰ信号を、前記ディスクに記録された記録信号中の高周波成分領域へ周波数シフトする演算により、前記ディスクに記録された記録信号中の高周波成分信号を抽出する請求項１に記載の情報処理装置。
【請求項３】
前記演算は、前記ＴＰＰ信号に対するキャリア信号の乗算処理であり、
前記信号処理部は、
前記ＴＰＰ信号に対するキャリア信号の乗算処理により、前記ＴＰＰ信号を、前記ディスクに記録された記録信号中の高周波成分領域へ周波数シフトする請求項２に記載の情報処理装置。
【請求項４】
前記信号処理部は、
前記検出部Ａ，Ｂの各検出信号の加算信号であるＳｕｍ信号と、
前記ＴＰＰ信号からキャリア信号成分を除去した記録信号対応ＴＰＰ信号との合成処理を実行して再生信号を生成する請求項１に記載の情報処理装置。
【請求項５】
前記信号処理部は、
前記Ｓｕｍ信号に基づいて、主にカットオフ周波数以下の周波数成分を含む再生信号を生成し、
前記ＴＰＰ信号に基づいて、主にカットオフ周波数以上の周波数成分を含む再生信号を生成する請求項１に記載の情報処理装置。
【請求項６】
前記ディスクは、カットオフ周波数以上の高周波凹凸パターンからなるキャリアグルーブが形成された構成であり、
前記キャリアグルーブを構成する凹凸パターンは、隣接トラックにおいて交互にずれた千鳥パターンを有する請求項１に記載の情報処理装置。
【請求項７】
前記ディスクは、カットオフ周波数以上の高周波凹凸パターンからなるキャリアグルーブが形成された構成であり、
前記キャリアグルーブを構成する凹凸パターンは、隣接トラック間において揃えられた放射パターンを有する請求項１に記載の情報処理装置。
【請求項８】
前記ディスクは、
記録信号を記録した記録エリアと、サーボ信号を記録したサーボエリアを交互に配列した構成を有し、
前記信号処理部は、
前記サーボ信号に基づくクロック信号を生成して再生信号生成処理におけるタイミング制御を実行する請求項１に記載の情報処理装置。
【請求項９】
前記信号処理部は、
前記光検出部の受光信号に含まれる隣接トラックの信号を除去する適応イコライザを有する請求項１に記載の情報処理装置。
【請求項１０】
前記信号処理部は、
ＰＲＭＬ（Ｐｅｒｔｉａｌ  Ｒｅｓｐｏｎｓｅ  Ｍａｘｉｍｕｍ  Ｌｉｋｅｌｉｈｏｏｄ）による最尤復号処理を実行する請求項１に記載の情報処理装置。
【請求項１１】
カットオフ周波数以上の高周波凹凸パターンからなるキャリアグルーブによって構成されるキャリア信号上に記録信号が記録された光ディスクであり、
再生装置において、
前記キャリア信号と前記記録信号の重複信号を周波数シフトしたＴＰＰ（Ｔａｎｇｅｎｔｉａｌ  Ｐｕｓｈ−ｐｕｌｌ）信号を読み取り、該ＴＰＰ信号を、前記光ディスクの記録信号中の高周波成分領域へ周波数シフトする演算により、前記光ディスクの記録信号中の高周波成分信号を抽出することを可能とした光ディスク。
【請求項１２】
前記演算は、前記ＴＰＰ信号に対するキャリア信号の乗算処理であり、
前記再生装置は、
前記ＴＰＰ信号に対するキャリア信号の乗算処理により、前記ＴＰＰ信号を、前記ディスクに記録された記録信号中の高周波成分領域へ周波数シフトすることで、
前記ＴＰＰ信号から、前記光ディスクに記録された記録信号中の高周波成分信号を抽出して再生信号を生成する請求項１１に記載の光ディスク。
【請求項１３】
前記キャリアグルーブを構成する高周波凹凸パターンは、隣接トラックにおいて交互にずれた千鳥パターンである請求項１１に記載の光ディスク。
【請求項１４】
前記キャリアグルーブを構成する高周波凹凸パターンは、隣接トラック間において揃えられた放射パターンを有する請求項１１に記載の光ディスク。
【請求項１５】
前記光ディスクは、
記録信号を記録した記録エリアと、サーボ信号を記録したサーボエリアを交互に配列した構成である請求項１１に記載の光ディスク。
【請求項１６】
情報処理装置において実行する情報処理方法であり、
前記情報処理装置は、
ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記信号処理部は、
前記検出部Ａ，Ｂの各検出信号の差分信号であるＴＰＰ（Ｔａｎｇｅｎｔｉａｌ  Ｐｕｓｈ−ｐｕｌｌ）信号を生成し、
前記ＴＰＰ信号から、前記ディスクに記録された記録信号中の高周波成分信号を演算により抽出して再生信号を生成する情報処理方法。
【請求項１７】
情報処理装置において情報処理を実行させるプログラムであり、
前記情報処理装置は、
ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記プログラムは、前記信号処理部に、
前記検出部Ａ，Ｂの各検出信号の差分信号であるＴＰＰ（Ｔａｎｇｅｎｔｉａｌ  Ｐｕｓｈ−ｐｕｌｌ）信号の生成処理、
前記ＴＰＰ信号から、前記ディスクに記録された記録信号中の高周波成分信号を演算により抽出して再生信号を生成する処理を実行させるプログラム。
【発明の詳細な説明】
【技術分野】
【０００１】
本開示は、情報処理装置、光ディスク、および情報処理方法、並びにプログラムに関する。さらに詳細には、高密度データの記録や再生を実現する情報処理装置、光ディスク、および情報処理方法、並びにプログラムに関する。
【背景技術】
【０００２】
映画や音楽等、様々なコンテンツを記録する光ディスク（メディア）として、ＤＶＤ（Ｄｉｇｉｔａｌ  Ｖｅｒｓａｔｉｌｅ  Ｄｉｓｃ）や、ＢＤ（Ｂｌｕ−ｒａｙ（登録商標）  Ｄｉｓｃ）等の記録メディア（光ディスク）が多く利用されている。
現行のＢＤ等の記録メディアは、主にＨＤ画像、いわゆるハイビジョン対応の２Ｋ画像が記録されているものが多いが、今後、高画質化が進み、超高精細画像（ＵＨＤ：Ｕｌｔｒａ  Ｈｉｇｈ  Ｄｅｆｉｎｉｔｉｏｎ画像）を記録したメディアが増加することが予想される。なお、超高精細画像（ＵＨＤ画像）は、例えば、４Ｋや８Ｋ等の高解像度画像が代表的な例である。【０００３】
これらの高画質データは、情報量が膨大であり、ＢＤ等のディスクには、より高密度に情報の記録を行うことが求められる。
ＢＤ等の光ディスクでは、ディスクのデータ記録面に対してレーザ光を照射し、その反射光を解析してディスク上の信号を読み取る処理が行われる。
しかし、このこのような光ピックアップを用いた再生方法では、例えば光の回折等に起因する解像レベルの限界がある。
レーザ光の波長をλとし、光ピックアップを構成するレンズの開口数をＮＡとした場合、解像限界、すなわち再生可能な最大周期は、λ／２ＮＡとなる。【０００４】
すなわち、光ディスク上のマーク（ピット）間隔が、解像限界であるλ／２ＮＡ以下に設定されると、光ピックアップによる再生ができなくなってしまうという問題がある。なお、ディスクの高密度記録構成を開示した従来技術として、例えば特許文献１（特開平０３−９３０５８号公報）がある。
【先行技術文献】
【特許文献】
【０００５】
【特許文献１】特開平０３−９３０５８号公報
【発明の概要】
【発明が解決しようとする課題】
【０００６】
本開示は、例えば、上述の問題点に鑑みてなされたものであり、高密度データの記録や再生を実現する情報処理装置、光ディスク、および情報処理方法、並びにプログラムを提供することを目的とする。
【課題を解決するための手段】
【０００７】
本開示の第１の側面は、
ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記信号処理部は、
前記検出部Ａ，Ｂの各検出信号の差分信号であるＴＰＰ（Ｔａｎｇｅｎｔｉａｌ  Ｐｕｓｈ−ｐｕｌｌ）信号を生成し、
前記ＴＰＰ信号から、前記ディスクに記録された記録信号中の高周波成分信号を演算により抽出して再生信号を生成する情報処理装置にある。【０００８】
さらに、本開示の第２の側面は、
カットオフ周波数以上の高周波凹凸パターンからなるキャリアグルーブによって構成されるディスク上のキャリア信号上に記録信号が記録された光ディスクであり、
再生装置において、
前記キャリア信号と前記記録信号の重複信号を周波数シフトしたＴＰＰ（Ｔａｎｇｅｎｔｉａｌ  Ｐｕｓｈ−ｐｕｌｌ）信号を読み取り、該ＴＰＰ信号を、前記光ディスクの記録信号中の高周波成分領域へ周波数シフトする演算により、前記光ディスクの記録信号中の高周波成分信号を抽出することを可能とした光ディスク。【０００９】
さらに、本開示の第３の側面は、
情報処理装置において実行する情報処理方法であり、
前記情報処理装置は、
ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記信号処理部は、
前記検出部Ａ，Ｂの各検出信号の差分信号であるＴＰＰ（Ｔａｎｇｅｎｔｉａｌ  Ｐｕｓｈ−ｐｕｌｌ）信号を生成し、
前記ＴＰＰ信号から、前記ディスクに記録された記録信号中の高周波成分信号を演算により抽出して再生信号を生成する情報処理方法にある。【００１０】
さらに、本開示の第４の側面は、
情報処理装置において情報処理を実行させるプログラムであり、
前記情報処理装置は、
ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記プログラムは、前記信号処理部に、
前記検出部Ａ，Ｂの各検出信号の差分信号であるＴＰＰ（Ｔａｎｇｅｎｔｉａｌ  Ｐｕｓｈ−ｐｕｌｌ）信号の生成処理、
前記ＴＰＰ信号から、前記ディスクに記録された記録信号中の高周波成分信号を演算により抽出して再生信号を生成する処理を実行させるプログラムにある。【００１１】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１２】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１３】
本開示の一実施例の構成によれば、高密度データを再生可能とした光ディスクが実現され、高密度データを記録した光ディスクからのデータ再生を行なう再生装置が実現される。
具体的には、ディスクのトラック方向に２分割された検出部Ａ，Ｂを有する光検出部と信号処理部を有し、信号処理部は、検出部Ａ，Ｂの各検出信号の差分信号であるＴＰＰ（Ｔａｎｇｅｎｔｉａｌ  Ｐｕｓｈ−ｐｕｌｌ）信号を生成し、ＴＰＰ信号から、ディスクの記録信号中の高周波成分信号を演算により抽出して再生信号を生成する。ディスクは、カットオフ周波数以上の高周波凹凸パターンからなるディスク上のキャリア信号上に記録信号が記録された構成であり、信号処理部は、キャリア信号と記録信号の重複信号の周波数シフト信号としてディスクから読み取られるＴＰＰ信号に対して、キャリア信号を乗算することで、ＴＰＰ信号を高周波領域の周波数へシフトして、ディスク記録信号中の高周波成分信号を抽出する。
本構成により、高密度データを再生可能とした光ディスクが実現され、高密度データを記録した光ディスクからのデータ再生を行なう再生装置が実現される。
なお、本明細書に記載された効果はあくまで例示であって限定されるものではなく、また付加的な効果があってもよい。
【図面の簡単な説明】
【００１４】
【図１】ディスクからのデータ再生処理構成について説明する図である。
【図２】ディスクに対するデータ記録構成例について説明する図である。
【図３】ディスクからのデータ再生処理構成と読み取り限界となるカットオフ周波数について説明する図である。
【図４】カットオフ周波数を越える周波数成分を含む記録データをディスクから再生した場合の再生信号の例について説明する図である。
【図５】本開示の一実施例に係るディスクの構成例について説明する図である。
【図６】ディスクからのデータ再生処理の一例について説明する図である。
【図７】再生信号の例について説明する図である。
【図８】ディスクからの読み取り信号に基づいて得られる信号の例について説明する図である。
【図９】ディスクの構成例について説明する図である。
【図１０】ディスクの構成と、再生信号との対応関係点について説明する図である。
【図１１】再生処理によって得られる信号の例について説明する図である。
【図１２】再生処理によって得られる信号の例について説明する図である。
【図１３】（１，７）ＲＬＬのランレングス規則に従った２ビットから３ビットへのデータ変調処理例について説明する図である。
【図１４】再生シミュレーションに用いた（１，７）ＲＬＬデータについて説明する図である。
【図１５】（１，７）ＲＬＬデータを記録データとした再生処理シミュレーションについて説明する図である。
【図１６】（１，７）ＲＬＬデータを記録データとした再生処理シミュレーションについて説明する図である。
【図１７】ディスクに対するキャリアグルーブの構成例について説明する図である。
【図１８】千鳥パターンキャリアグルーブを形成したディスクの構成例について説明する図である。
【図１９】放射パターンキャリアグルーブを形成したディスクの構成例について説明する図である。
【図２０】ディスクからのデータ再生を実行する回路構成例について説明する図である。
【図２１】異なるキャリア構成を持つディスクからの再生信号の評価結果について説明する図である。
【図２２】ディスクからのデータ再生を実行する回路構成例について説明する図である。
【図２３】ディスクからのデータ再生を実行する回路構成例について説明する図である。
【発明を実施するための形態】
【００１５】
以下、図面を参照しながら本開示の情報処理装置、光ディスク、および情報処理方法、並びにプログラムの詳細について説明する。なお、説明は以下の項目に従って行なう。
１．光ディスクからのデータ再生処理例について
２．高密度データの記録、再生を実現する構成について
３．カットオフ周波数（Ｆｃ）より高い高周波信号の再生原理の説明について
４．Ｍ系列乱数データを記録データとしたディスクからのデータ再生処理のシミュレーション処理例について
５．（１，７）ＲＬＬデータを記録データとしたディスクからのデータ再生処理のシミュレーション処理例について
６．その他の再生回路構成例について
７．本開示の構成のまとめ
【００１６】
［１．光ディスクからのデータ再生処理例について］
まず、光ディスク、例えばＢＤ（Ｂｌｕ−ｒａｙ（登録商標）  Ｄｉｓｃ）に記録されたデータの再生処理例について説明する。
【００１７】
図１は、ＢＤ等の光ディスクであるディスク１０に記録されたデータを読み取り、再生する再生処理構成の一例を示す図である。
ディスク１０には、記録データのマーク（ピット）列が記録され、光ピックアップ２０によって、このマーク列が読み取られる。
【００１８】
光ピックアップ２０は、レーザ光出力部２１を有する。レーザ光出力部２１から出力されるレーザ光は、複数のレンズ等による設定光路に従ってディスク上に照射され、さらに、ディスク１０からの反射光が光検出部（分割フォトディテクタ）２２において受光される。
【００１９】
光検出部（分割フォトディテクタ）２２は、複数の分割された検出部を有し、各検出部は、受光量に応じた電気信号を信号処理部２３に出力する。
図に示す例では、光検出部（分割フォトディテクタ）２２は２分割され、２つの検出部（ディテクタ）Ａ，Ｂから各検出部における受光量に応じた２つの電気信号（Ａ），（Ｂ）が信号処理部２３に入力される。
【００２０】
信号処理部２３は、光検出部（分割フォトディテクタ）２２から入力する電気信号（Ａ），（Ｂ）を用いて、再生信号の２値化処理を実行する。すなわち、ディスク１０に記録されたマーク列に応じた（１／０）信号を生成し、これを再生信号として出力する。
【００２１】
信号処理部２３は、例えば、光検出部（分割フォトディテクタ）２２からの入力信号のＡ／Ｄ変換処理、ＰＬＬ（Ｐｈａｓｅ  Ｌｏｃｋ  Ｌｏｏｐ）によるクロック信号生成処理、ＰＲＭＬ（Ｐｅｒｔｉａｌ  Ｒｅｓｐｏｎｓｅ  Ｍａｘｉｍｕｍ  Ｌｉｋｅｌｉｈｏｏｄ）による最尤復号処理等の処理機能を有し、これらの処理機能を用いて、ディスク１０に記録されたマーク列に応じた（１／０）信号を生成し、これを再生信号として出力する。
【００２２】
ディスク１０には、例えば、超高精細画像（ＵＨＤ：Ｕｌｔｒａ  Ｈｉｇｈ  Ｄｅｆｉｎｉｔｉｏｎ画像）としての４Ｋや８Ｋ等の高解像度画像が記録されている。
これらの高画質データは、情報量が膨大であり、ＢＤ等のディスクには、より高密度に情報の記録を行うことが求められる。
【００２３】
ディスク１０に対する記録データ量が少ない低密度記録型ディスクと、記録データ量が多い高密度記録型ディスクとでは、ディスク上のマーク（ピット）配列の密度が異なることになる。
図２は、異なるデータ記録密度を持つディスクのマーク配列例を模式的に示した図である。
【００２４】
ディスク−ａ，１０ａは、低密度記録ディスクであり、マーク（低反射率部）１１と、マーク形成部以外の高反射率部１２が、比較的、間隔をあけて交互に配列される。
いわゆる空間周波数が低い記録データの例である。
一方、ディスク−ｂ，１０ｂは、高密度記録ディスクであり、マーク形成部以外の高反射率部１２に多数のマーク（低反射率部）１１が狭い間隔で高密度に配列されている。これは、空間周波数が高い記録データの例である。
【００２５】
図１を参照して説明したように、ＢＤ等の光ディスクでは、ディスクのデータ記録面に対してレーザ光を照射し、その反射光を解析してディスク上の信号を読み取る処理が行われる。
しかし、このこのような光ピックアップを用いた再生方法では、例えば光の回折等に起因する解像レベルの限界がある。
レーザ光の波長をλとし、光ピックアップを構成するレンズの開口数をＮＡとした場合、解像限界周波数は、２ＮＡ／λとなる。
【００２６】
すなわち、光ディスク上のマーク周期が、解像限界であるλ／２ＮＡ以下の周波数以上の高密度に設定されると、光ピックアップによる再生ができなくなってしまうという問題がある。
図３は、この解像限界について説明する図である。
【００２７】
図３に示す例は、図１を参照して説明した２分割（Ａ，Ｂ）の光検出部２２からの電気信号（Ａ），（Ｂ）を信号処理部２３に形成した電気信号（Ａ），（Ｂ）を加算した加算信号を生成する加算信号生成部（Ｓｕｍ）２４に入力し、この加算信号生成部（Ｓｕｍ）の生成する加算信号Ａ＋Ｂに基づいて、マーク列に応じた１，０信号からなる再生信号を生成する構成例を示す図である。
【００２８】
しかし、この信号処理部２３に形成した加算信号生成部（Ｓｕｍ）２４の出力（信号振幅）は、ディスク１０に記録されたデータの空間周波数に応じて図３（Ａ）に示す「空間周波数とＳｕｍ信号との対応関係」に示すように変化する。
【００２９】
すなわち、空間周波数が高くなるほど、すなわちディスクのデータ記録密度が高くなるほど、加算信号生成部（Ｓｕｍ）２４の出力（信号振幅）が小さくなる。
空間周波数が、図のグラフに示す空間周波数＝Ｆｃより高いと、信号振幅は０になり、これ以上の空間周波数の記録密度を持つディスクの記録データは判別できないことになる。
この読み取り限界となる空間周波数：Ｆｃは、光ピックアップ２０のレーザ光の波長をλとし、光ピックアップを構成するレンズの開口数をＮＡとした場合の解像限界であり、Ｆｃ＝２ＮＡ／λとなる。
なお、この読み取り限界となる空間周波数は、カットオフ周波数と呼ばれる。
【００３０】
現実的には、ディスク１０に記録されるデータには、低周波信号から高周波信号まで、様々な周波数成分の信号が混在する。
このような混在信号を、光ピックアップを利用して読み取った場合の具体的な再生信号の例について、図４を参照して説明する。
【００３１】
図４（Ａ）に示すグラフは、図３（Ａ）に示す「空間周波数とＳｕｍ信号との対応関係」と同じグラフである。
このグラフに示す領域Ｓがディスク１０に記録された記録信号に含まれる空間周波数の分布であるとする。すなわち空間周波数ａから空間周波数ｂまでの周波数成分のデータがディスク１０に記録されている。
【００３２】
周波数ａは、カットオフ周波数Ｆｃより低い周波数であり、周波数ｂは、カットオフ周波数Ｆｃより高い高周波成分である。
この記録信号Ｓの再生信号例が図４（Ｂ）に示す波形となる。
【００３３】
カットオフ周波数Ｆｃより低い周波数成分である低周波成分の信号は、波形の上部と下部に振り分けられる。すなわち１，０の信号値として再生することができる。
しかし、カットオフ周波数Ｆｃより高い周波数成分である高周波成分の信号は、波形の上部と下部に振り分けられず、中央部、すなわち０，１の境界領域に集中してしまい、結果として、１，０の信号値として再生することができない。
【００３４】
このように、光ピックアップを用いた再生方法では、例えば光の回折等に起因する解像レベルの限界があり、レーザ光の波長をλとし、光ピックアップを構成するレンズの開口数をＮＡとした場合、解像限界の周波数は、２ＮＡ／λとなる。
解像限界を超える高周波信号の再生はできず、ディスクに対するデータ記録密度の向上を妨げる要因となっていた。
【００３５】
［２．高密度データの記録、再生を実現する構成について］
次に、高密度データの記録、再生を実現する構成について説明する。
図５は、本開示の高密度記録型のディスク１００の一例を示す図である。
ディスク１００には、トラック方向に規則的な周期を持つ凹凸パターンが形成される。
この規則的な周期を持つ凹凸パターン上に、例えば映画等のコンテンツデータを構成する記録信号に相当するマーク（ピット列）が記録される。
【００３６】
規則的な周期を持つ凹凸パターンは、予めディスク上に形成されたパターンであり、図に示すように周期ｐを持つパターンとなる。
この周期ｐを持つ凹凸パターンの持つ周波数は、先に図３、図４を参照して説明したカットオフ周波数Ｆｃより高い周波数であり、光ピックアップ２０による読み取り限界を超える周波数である。
すなわち、光ピックアップ２０によって読み取られる信号から、ディスク１００に形成された周期ｐの凹凸パターンを、直接、識別することはできない。
【００３７】
ディスク１００に対する映画等のコンテンツに対応する記録信号は、図５に示すように、この周期ｐの凹凸パターン上にマーク１０１を形成して記録される。
なお、マーク１０１は、例えば反射面上に形成された相変化型の記録層へレーザ光を照射することによって形成され、マーク１０１が低反射率部となり、マーク非形成部が高反射率部１０２として設定される。マーク部（低反射率部）と高反射率部１０２が、それぞれ１，０の各信号のいずれかに対応する。
【００３８】
なお、この記録データに対応するマーク信号も高周波成分を含み、先に図３、図４を参照して説明したカットオフ周波数Ｆｃより高い周波数成分を含む信号である。すなわち、光ピックアップ２０による読み取り限界を超える周波数の高周波成分を含む信号である。
【００３９】
このように、本開示のディスク１００は、
（ａ）トラック方向に記録されたカットオフ周波数Ｆｃより高い周波数を持つ凹凸パターン（＝キャリア）、
（ｂ）上記凹凸パターン（キャリア）上に記録されたマーク列からなる記録信号、
これら（ａ），（ｂ）の構成を持つディスクである。
【００４０】
なお、「（ａ）トラック方向に記録されたカットオフ周波数Ｆｃより高い周波数を持つ凹凸パターン」は、予めディスクに記録された信号であり、「キャリア」、あるいは、「キャリア信号」、または「キャリアグルーブ」と呼ぶ。
【００４１】
映画等のコンテンツ構成データの記録信号に相当するマーク列は、この「キャリア」上に記録される。
キャリアは、カットオフ周波数Ｆｃより高い周波数を有し、
記録信号（マーク列）にも、カットオフ周波数Ｆｃより高い高周波成分が含まれる。
【００４２】
図５を参照して説明したディスク１００の再生処理の概要について、図６を参照して説明する。
図６に示すディスク１００は、図５を参照して説明したように、以下の構成を持つディスクである。
（ａ）トラック方向に記録されたカットオフ周波数Ｆｃより高い周波数を持つキャリア（凹凸パターン）、
（ｂ）上記キャリア上に記録されたマーク列からなる記録信号、
【００４３】
このディスク１００の記録信号は、光ピックアップ１１０により読み取られる。
光ピックアップ１１０は、先に図１を参照して説明した光ピックアップ２０と同様の構成を持つ。
すなわち、光ピックアップ１１０は、レーザ光出力部１１１を有する。レーザ光出力部１１１から出力されるレーザ光は、複数のレンズ等によって、ディスク上に照射され、さらに、ディスク１００からの反射光が光検出部（分割フォトディテクタ）１１２に照射される。
【００４４】
光検出部（分割フォトディテクタ）１１２は、複数の分割された検出部を有し、各検出部は、受光量に応じた電気信号を信号処理部１１３に出力する。
光検出部（分割フォトディテクタ）１１２は２分割され、２つの検出部Ａ，Ｂから各検出部における受光量に応じた２つの電気信号（Ａ），（Ｂ）が信号処理部１１３に入力される。
【００４５】
信号処理部１１３は、光検出部（分割フォトディテクタ）１１２から入力する電気信号（Ａ），（Ｂ）を用いて、再生信号の２値化処理を実行する。すなわち、ディスク１００に記録されたマーク列に応じた（１／０）信号を生成し、これを再生信号として出力する。
【００４６】
図６に示すように、信号処理部１１３は、
２分割（Ａ，Ｂ）の光検出部１１２からの電気信号（Ａ），（Ｂ）を加算した加算信号（Ａ＋Ｂ）を生成する加算信号生成部（Ｓｕｍ）１２１と、
２分割（Ａ，Ｂ）の光検出部１１２からの電気信号（Ａ），（Ｂ）の差分信号（Ａ−Ｂ）を生成する差分信号生成部（ＴＰＰ）１３１を有する。
２分割（Ａ，Ｂ）の光検出部１１２からの電気信号（Ａ），（Ｂ）は、これら、加算信号生成部（Ｓｕｍ）１２１と、差分信号生成部（ＴＰＰ）１３１に入力される。
【００４７】
なお、差分信号生成部（ＴＰＰ）１３１は、ディスク１００のトラック方向（タンジェンシャル方向）に並べられた２分割（Ａ，Ｂ）の光検出部１１２からの電気信号（Ａ），（Ｂ）のプッシュプル信号を生成する。すなわち、差分信号生成部（ＴＰＰ）１３１の出力は、電気信号（Ａ），（Ｂ）のタンジェンシャル・プッシュプル信号（ＴＰＰ：Ｔａｎｇｅｎｔｉａｌ  Ｐｕｓｈ−ｐｕｌｌ）となる。
以下、加算信号生成部（Ｓｕｍ）１２１の出力を「Ｓｕｍ信号」または「加算信号」、差分信号生成部（ＴＰＰ）１３１の出力を「ＴＰＰ信号」または「差分信号」と呼ぶ。
【００４８】
加算信号生成部（Ｓｕｍ）１２１の出力であるＳｕｍ信号は、ゲイン制御部（Ｋ１）１２２に入力され、さらに、合成信号生成部１４１に入力される。ここで、ゲイン制御部（Ｋ１）はフィルタとして構成されていても良い。
図６に参考例として示す「（１）Ｓｕｍベース再生信号（参考）」は、先に図４（Ｂ）を参照して説明した再生信号と同様の信号である。
すなわち、このＳｕｍベース再生信号は、カットオフ周波数Ｆｃより低い周波数成分である低周波成分の信号は、波形の上部と下部に振り分けられる。すなわち１，０の信号値として再生することができる。
しかし、カットオフ周波数Ｆｃより高い周波数成分である高周波成分の信号は、波形の上部と下部に振り分けられず、中央部、すなわち０，１の境界領域に集中してしまい、結果として、１，０の信号値として再生することができない。
【００４９】
本開示の構成では、このＳｕｍベース再生信号を再生信号として用いるのではなく、図６に示す合成信号生成部１４１の出力、すなわち、図６（２）に示す再生信号（低周波〜高周波成分再生信号）を生成して、再生信号として用いる。
【００５０】
図６に示す差分信号生成部（ＴＰＰ）１３１の出力であるＴＰＰ信号は、乗算器１３２において、別途発生させたキャリア信号と乗算される。
ディスク上のキャリア信号は、図５を参照して説明したように、ディスク１００に予め形成された周期ｐの凹凸パターンに基づく信号であり、［Ｓｉｎ（２πｘ／ｐ）］の正弦波に相当する信号となる。なお、ｘはディスクのトラック方向の位置を示す。
【００５１】
差分信号生成部（ＴＰＰ）１３１の出力であるＴＰＰ信号は、
（ａ）トラック方向に記録されたカットオフ周波数Ｆｃより高い周波数を持つキャリア（凹凸パターン）、
（ｂ）上記キャリア上に記録されたマーク列からなる記録信号、
これら２つの異なる信号の重畳信号であり、いわゆるモアレ信号となる。
このモアレ信号は、ディスク上のキャリア信号が凹凸で位相分であり、マークは位相を持たない反射率変化であるため、掛け算により位相分として発生している。そして、ＴＰＰ信号はこの位相分を再生する。
【００５２】
この重畳信号であるＴＰＰ信号に対して、別途発生させたキャリア信号［Ｓｉｎ（２πｘ／ｐ）］を乗算することで、ディスク上のキャリア信号と前記記録信号の重複信号として周波数シフトされた読み取り信号（モアレ信号）として得られるＴＰＰ信号から、ディスクに記録された記録信号中の高周波成分へ周波数シフトする演算により抽出することができる。
【００５３】
すなわち、乗算器１３２の出力は、ディスク上のキャリア信号と前記記録信号の重複信号として周波数シフトされた読み取り信号（モアレ信号）として得られるＴＰＰ信号から、ディスクに記録された記録信号中の高周波成分へ周波数シフトする演算により抽出された記録信号成分となる。この乗算器１３２の出力は、ゲイン制御部（Ｋ２）１３３に入力され、さらに、加算信号生成部１１８に入力される。ここで、ゲイン制御部（Ｋ２）はフィルタとして構成されていても良い。
【００５４】
合成信号生成部１４１は、先に図６（１）を参照して説明したＳｕｍベース再生信号と、ＴＰＰ信号からディスク上のキャリア信号成分を取り除いた乗算器１３２の出力をベースとしたＴＰＰベースの信号との合成処理を実行する。
【００５５】
この合成信号生成部１４１の出力は、図６（２）に示す再生信号（低周波〜高周波成分再生信号）となる。
図６（２）に示す再生信号は、以下の２つの合成信号となる。
（ａ）記録信号中に含まれるカットオフ周波数（Ｆｃ）以下の低周波成分については、Ｓｕｍベース再生信号、
（ｂ）記録信号中に含まれるカットオフ周波数（Ｆｃ）以上の高周波成分については、ＴＰＰベース再生信号、
図６（２）に示す再生信号は、これら２つの再生信号の合成信号となる。
【００５６】
なお、Ｓｕｍベース再生信号は、加算信号生成部（Ｓｕｍ）１２１〜ゲイン制御部（Ｋ１）１２２を経由して得られる信号である。
また、ＴＰＰベース再生信号は、差分信号生成部（ＴＰＰ）１３１〜乗算器１３２〜ゲイン制御部（Ｋ２）１３３を経由して得られる信号である。
【００５７】
ＴＰＰベース再生信号は、以下の２つの信号、すなわち、
（ａ）トラック方向に記録されたカットオフ周波数Ｆｃより高い周波数を持つキャリア（凹凸パターン）、
（ｂ）上記キャリア上に記録されたマーク列からなる記録信号、
これら２つの異なる信号の重複信号として低域周波数シフトした読み取り信号として得られるＴＰＰ信号から、ディスクに記録された記録信号中の高周波成分へ周波数シフトする演算により抽出された信号である。
【００５８】
モアレ信号は、全域でカットオフ周波数（Ｆｃ）より高い高周波信号となるディスク上のキャリア信号と、記録信号中のカットオフ周波数（Ｆｃ）より高い高周波信号部分との重複領域で、低域周波数において顕著に発生する。
すなわち、記録信号がカットオフ周波数（Ｆｃ）より低い低周波部分では明確なモアレ信号が発生しにくくなり、ＴＰＰベース再生信号からは、主に記録信号中の高周波信号が取り出される。
【００５９】
従って、この、ＴＰＰベース再生信号から得られる記録信号中の高周波領域信号と、Ｓｕｍベース再生信号から得られる記録信号中のカットオフ周波数（Ｆｃ）より低い低周波領域信号を、合成信号生成部１４１において組み合わせることで、図６（２）に示す再生信号、すなわち、記録信号に含まれる低周波〜高周波の広い周波数帯の再生信号を取得することができる。
【００６０】
図６（２）に示す再生信号、すなわち、カットオフ周波数（Ｆｃ）以下の低周波から、カットオフ周波数（Ｆｃ）以上の高周波までを含む広い周波数帯の再生信号の詳細について、図７を参照して説明する。
【００６１】
ディスク１００に記録されるデータには、低周波信号から高周波信号まで、様々な周波数成分の信号が混在する。
このような混在信号を、図６に示す光ピックアップ１１０を利用して読み取り、信号処理部１１３における処理結果として得られる再生信号の例が図７に示す信号である。
【００６２】
カットオフ周波数Ｆｃより低い周波数成分については、図７に示す信号パターンの波形の上端部と下端部に振り分けられる。すなわち１，０の信号値として再生することができる。
この低周波成分は、Ｓｕｍベース再生信号から得られる再生信号である。すなわち、加算信号生成部（Ｓｕｍ）１２１〜ゲイン制御部（Ｋ１）１２２を経由して得られる信号である。
【００６３】
一方、カットオフ周波数Ｆｃより高い周波数成分については、図７に示す信号パターンの波形の中央領域で上部と下部に振り分けられる。この領域においても、信号は、中心線ｐｑを境界として明確に上部と下部に振り分けられている。すなわち１，０の信号値として再生することができる。
【００６４】
例えば先に図４（Ｂ）を参照して説明したＳｕｍ信号のみをベースとして生成した再生信号では、高周波成分が、波形の中心部に集中し、上下に振り分けられていなかったが、図７に示す信号パターンでは、中心線ｐ，ｑの上部と下部に信号が振り分けられ、１，０からなる再生信号を取得することができている。
この高周波成分は、ＴＰＰベース再生信号から得られる再生信号である。すなわち、差分信号生成部（ＴＰＰ）１３１〜乗算器１３２〜ゲイン制御部（Ｋ２）１３２を経由して得られる信号である。
【００６５】
このように、本開示の構成では、
２分割された光検出部１１２から得られる信号を利用して、Ｓｕｍベース再生信号と、ＴＰＰベース再生信号を取得し、これらの信号に基づいて、カットオフ周波数（Ｆｃ）より低い低周波信号から、カットオフ周波数（Ｆｃ）より高い高周波信号まで、より広い周波数の信号を再生信号として得ることができる。
【００６６】
なお、ＴＰＰベース再生信号は、以下の２つの信号、すなわち、
（ａ）トラック方向に記録されたカットオフ周波数Ｆｃより高い周波数を持つキャリア（凹凸パターン）、
（ｂ）上記キャリア上に記録されたマーク列からなる記録信号、
これら２つの異なる信号の重畳信号（モアレ信号）から、キャリア信号成分を取り除くことで得られる再生信号であり、記録信号の高周波領域信号に相当する。
【００６７】
［３．カットオフ周波数（Ｆｃ）より高い高周波信号の再生原理の説明について］
次に、カットオフ周波数（Ｆｃ）より高い高周波信号の再生原理について説明する。
図８は、Ｓｕｍ信号とＴＰＰ信号の特性について説明する図である。
【００６８】
ディスク１００には、
トラック方向に記録されたカットオフ周波数Ｆｃより高い周波数を持つキャリア（凹凸パターン）が形成され、この、キャリア上にマーク列からなる記録信号が記録されている。
【００６９】
ピックアップの光検出部１１２は、トラック方向に２分割されたディテクタＡ，Ｂを有する。
この光検出部の各分割ディテクタは、ディスク１００に対するレーザ光の反射光を受光し、受光量に応じた電気信号を出力する。
ディテクタＡから出力される電気信号をＡとし、ディテクタＢから出力される電気信号をＢとする。
【００７０】
先に図６を参照して説明した加算信号生成部（Ｓｕｍ）１２１は、２つのディテクタからの出力の加算信号Ａ＋Ｂ（＝Ｓｕｍ信号）を生成する。
一方、図６を参照して説明した差分信号生成部（ＴＰＰ）１３１は、２つのディテクタからの出力の差分信号Ａ−Ｂ（＝ＴＰＰ信号）を生成する。
【００７１】
図８（１）に示すグラフは、加算信号生成部（Ｓｕｍ）１２１の出力、すなわち２つのディテクタからの出力の加算信号Ａ＋Ｂ（＝Ｓｕｍ信号）の信号特性を示すグラフである。
このグラフは、先に図３、図４を参照して説明したグラフと同じグラフである。
加算信号生成部（Ｓｕｍ）１２１の出力（信号振幅）は、ディスク１００に記録されたデータの空間周波数に応じて図８（１）に示すグラフのように変化する。
【００７２】
すなわち、空間周波数が高くなるほど、すなわちディスクの記録密度が高くなるほど、Ｓｕｍ信号（Ａ＋Ｂ）の出力（信号振幅）が小さくなる。
空間周波数が、図のグラフに示す空間周波数＝Ｆｃより高いと、信号振幅は０になり、これ以上の空間周波数の記録密度を持つディスクの記録データは判別できないことになる。
【００７３】
前述したように、この読み取り限界となる空間周波数であるカットオフ周波数：Ｆｃは、光ピックアップのレーザ光の波長をλとし、光ピックアップを構成するレンズの開口数をＮＡとした場合の解像限界であり、Ｆｃ＝２ＮＡ／λとなる。
【００７４】
一方、図８（２）に示すグラフは、差分信号生成部（ＴＰＰ）１３１の出力、すなわち２つのディテクタからの出力の差分信号Ａ−Ｂ（＝ＴＰＰ信号）の信号特性を示すグラフである。
差分信号生成部（ＴＰＰ）１３１の出力（信号振幅）は、ディスク１００に記録されたデータの空間周波数に応じて図８（２）に示すグラフのように変化する。
【００７５】
すなわち、ＴＰＰ信号の信号振幅は、空間周波数の変化に応じて、なめらかな山型の曲線を描く。
前述したように、ディスク１００には、トラック方向に記録されたカットオフ周波数Ｆｃより高い周波数を持つキャリア（凹凸パターン）が形成され、この、キャリア上にマーク列からなる信号が記録されている。
【００７６】
光ピックアップは、この２つの信号（キャリア信号と記録信号）の重畳信号、すなわち複素反射率の掛け算を読み取る。ＴＰＰ信号の振幅は、この２つの信号の重複信号として得られるモアレ信号の振幅に相当する。
例えば図８（２）に示すグラフの空間周波数Ｆａにおいて、ＴＰＰ信号の振幅が最大となるが、この空間周波数Ｆａが、２つの信号（キャリア信号と記録信号）の重畳信号としてのモアレを最も明確に再生するポイントであると言える。
【００７７】
図９は、ディスク１００のキャリア信号構成と記録信号について説明する図である。
先に説明したように、ディスク１００には、
（１）トラック方向に記録されたカットオフ周波数Ｆｃより高い周波数を持つ凹凸パターンによって構成されるキャリア信号、
（２）上記キャリア信号上に記録されるマーク列からなる記録信号、
これらのデータが記録されている。
【００７８】
これら２つの信号（ディスク上のキャリア信号と記録信号）、およびこれら２つの信号の重畳信号（モアレ信号）のデータ例を図１０に示す。
図１０には、以下の３つの信号についてのディスク上の構成と、読み取り信号の例を示している。
（１）ディスク上のキャリア信号
（２）記録信号
（３）重畳信号（ディスク上のキャリア信号×記録信号）
【００７９】
（１）キャリア信号は、ディスクのトラック方向に記録されたカットオフ周波数Ｆｃより高い周波数を持つ凹凸パターンによって構成される信号である。
この読み取り信号は、図１０（１ｂ）に示すように、規則的な正弦波［Ｓｉｎ（２πｘ／ｐ）］に相当する。ｐは、凹凸パターンの周期である。
ただし、図１０（１ｂ）に示す正弦波の周期はカットオフ周波数（Ｆｃ）より高い周波数であり、例えば図１や図６に示す光ピックアップにより、直接読み取ることはできない。
【００８０】
（２）記録信号は、上記の（１）キャリア信号上に記録されるマーク列からなる記録信号である。
この記録信号には、カットオフ周波数（Ｆｃ）より低い低周波成分から、カットオフ周波数（Ｆｃ）より高い高周波成分まで、様々な周波数成分が含まれる。
この読み取り信号は、図（２ｂ）に示すような信号に相当する。低周波成分領域においては、例えば図１や図６に示す光ピックアップによる読み取りが可能であるが、高周波成分信号の読み取りは不可能である。
【００８１】
（３）重畳信号（キャリア信号×記録信号）は、ディスク上のキャリア信号上に記録信号を記録した構成である。
図１０（３ｂ）に示す信号は、この重畳信号の信号領域Ａ（再生可能領域Ａ）読み取り信号として得られるＴＰＰ信号、すなわち、図６を参照して説明した差分信号生成部（ＴＰＰ）１３１の出力するＴＰＰ信号の例である。
【００８２】
このＴＰＰ信号は、図１０（１ｂ）に示す正弦波からなるキャリア信号と、図１０（２ｂ）に示す記録信号の重畳信号、すなわちモアレ信号として読み取られる信号パターンである。
この信号は、図１や図６に示す光ピックアップにより、実際に読み取られる信号となる。
この図（３ｂ）に示すＴＰＰ信号は、キャリア信号成分と、記録信号成分の掛け算になっており、記録信号の高周波成分がキャリア信号周波数だけ低域へシフトした信号となっている。このＴＰＰ信号の周波数をキャリア信号周波数分だけ高域へシフトすることで、ディスク上の記録信号成分の周波数へ戻すことができる。
【００８３】
この処理は、先に図６を参照して説明した乗算器１３２における処理、すなわち、ＴＰＰ信号と別途発生させたキャリア信号［Ｓｉｎ（２πｘ／ｐ）］との乗算処理である。
この乗算処理による記録信号抽出処理について図１１を参照して説明する。
【００８４】
図１１には、以下の各信号を示している。
（１）Ｓｕｍ信号（＝記録信号低周波成分）
（２）ＴＰＰ信号
（３）ＴＰＰ信号をキャリア信号周波数分の周波数シフトさせた信号（＝記録信号高周波成分）
（４）再生信号
【００８５】
図１１に示す（１）Ｓｕｍ信号（＝記録信号低周波成分）には、先に図８（１）を参照して説明した空間周波数とＳｕｍ信号との対応関係を示すグラフと、Ｓｕｍ信号に基づく再生信号パターンを示している。
【００８６】
グラフ中の点線は、図６に示す加算信号生成部（Ｓｕｍ）１２１の出力、すなわち２つのディテクタからの出力の加算信号Ａ＋Ｂの信号特性、すなわちＳｕｍ特性曲線を示すグラフである。
加算信号生成部（Ｓｕｍ）１２１の出力（信号振幅）は、ディスク１００に記録されたデータの空間周波数に応じて図１１（１）に示すグラフのように変化する。
すなわち、空間周波数が高くなるほど、すなわちディスクの記録密度が高くなるほど、Ｓｕｍ信号（Ａ＋Ｂ）の出力（信号振幅）が小さくなる。
空間周波数が、図のグラフに示す空間周波数＝Ｆｃより高いと、信号振幅は０になり、これ以上の空間周波数の記録密度を持つディスクの記録データは判別できないことになる。
【００８７】
前述したように、この読み取り限界となる空間周波数であるカットオフ周波数：Ｆｃは、光ピックアップのレーザ光の波長をλとし、光ピックアップを構成するレンズの開口数をＮＡとした場合の解像限界であり、Ｆｃ＝２ＮＡ／λとなる。
【００８８】
グラフ中の実線は、ディスク１００に記録された記録信号の周波数分布を示している。
記録信号は、カットオフ周波数（Ｆｃ）より低い周波数から高い周波数まで、様々な周波数成分を含む信号である。
【００８９】
この実線で示す記録信号中、点線で示すＳｕｍ特性曲線の内側部分が、Ｓｕｍ信号によって再生可能な信号領域（再生可能領域Ａ）となる。
点線で示すＳｕｍ特性曲線の外側部分は、Ｓｕｍ信号によって再生することができない信号領域となる。
【００９０】
図１１（２）に示すグラフは、先に図８（２）を参照して説明した差分信号生成部（ＴＰＰ）１３１の出力、すなわち２つのディテクタからの出力の差分信号Ａ−Ｂの信号特性を示すグラフである。
差分信号生成部（ＴＰＰ）１３１の出力（信号振幅）は、ディスク１００に記録されたデータの空間周波数に応じて図１１（２）に示す曲線（ＴＰＰ特性曲線）のように変化する。
【００９１】
このＴＰＰ信号をディスク上のキャリア信号周波数分シフトさせることで、記録信号成分の抽出が可能となる。
ＴＰＰ信号をキャリア信号周波数分シフトさせるための処理は、先に図６を参照して説明した乗算器１３２における処理、すなわち、ＴＰＰ信号と別途発生させたキャリア信号［Ｓｉｎ（２πｘ／ｐ）］との乗算処理である。
【００９２】
図１１（２）に示すＴＰＰ信号に対する別途発生させたキャリア信号［Ｓｉｎ（２πｘ／ｐ）］との乗算処理により、図１１（３）に示す信号が得られる。
図１１（３）に示す信号は、図１１（２）に示すＴＰＰ信号を高周波領域にシフトした信号である。
【００９３】
図１１（２）に示すＴＰＰ信号に対する別途発生させたキャリア信号［Ｓｉｎ（２πｘ／ｐ）］との乗算処理により、ディスク上のキャリア信号と前記記録信号の重複信号として周波数シフトした読み取り信号として得られる前記ＴＰＰ信号から、ディスクに記録された記録信号中の高周波成分が復元される。この処理の結果、図１１（３）に示すＴＰＰ信号に含まれる記録信号のみの特性曲線、すなわち記録信号対応ＴＰＰ特性曲線が得られる。
【００９４】
図１１（３）に示す点線が記録信号対応ＴＰＰ特性曲線である。
すなわち、図６に示す差分信号生成部１３１の出力であるＴＰＰ信号に対して、別途発生させたキャリア信号［Ｓｉｎ（２πｘ／ｐ）］を乗算することで、ＴＰＰ信号に含まれるキャリア信号成分が除去され、図１１（３）に示すシフトされたＴＰＰ信号、すなわつ記録信号成分のみの記録信号対応ＴＰＰ特性曲線が得られる。
【００９５】
グラフ中の実線は、図１１（１）に示す実線と同様であり、ディスクの記録信号の周波数分布を示している。
この実線で示す記録信号領域中、点線で示す記録信号対応ＴＰＰ特性曲線の内側の領域が、ＴＰＰ信号によって再生可能な信号領域（再生可能領域Ｂ）となる。
点線で示す記録信号対応ＴＰＰ特性曲線の外側部分は、ＴＰＰ信号によって再生することができない信号領域となる。
【００９６】
図１１（１）に示すグラフ中の信号領域Ａ（再生可能領域Ａ）は、記録信号中の低周波領域の信号に対応する。
一方、図１１（３）に示すグラフ中の信号領域Ｂ（再生可能領域Ｂ）は、記録信号中の高周波領域の信号に対応する。
これらの２つの信号を組み合わせることで、図１１（４）に示す再生信号が得られる。
【００９７】
図１１（４）に示す再生信号は、先に図６（２）を参照して説明した再生信号と同様の信号である。
図１１（４）に示す再生信号は、以下の２つの合成信号となる。
（ａ）図１１（１）に示すグラフ中の信号領域Ａ（再生可能領域Ａ）に対応する低周波成分信号
（ｂ）図１１（３）に示すグラフ中の信号領域Ｂ（再生可能領域Ｂ）に対応する高周波信号
【００９８】
図１１（１）に示す信号領域Ａ（再生可能領域Ａ）に対応する低周波成分信号は、図１１（４）の上下端のＳｕｍ信号に基づく再生信号である。このように、記録信号中に含まれるカットオフ周波数（Ｆｃ）以下の低周波成分については、Ｓｕｍベース再生信号から取得することができる。
【００９９】
一方、図１１（３）に示す信号領域Ｂ（再生可能領域Ｂ）に対応する高周波成分信号は、図１１（４）の中央部で上下に分離されたＴＰＰ信号に基づく再生信号である。このように、記録信号中に含まれるカットオフ周波数（Ｆｃ）以上の高周波成分については、ＴＰＰベース再生信号から取得することができる。
【０１００】
なお、前述したように、Ｓｕｍ信号に基づく再生信号は、図６に示す構成中の加算信号生成部（Ｓｕｍ）１２１〜ゲイン制御部（Ｋ１）１２２を経由して得られる信号である。
また、ＴＰＰ信号に基づ再生信号は、図６に示す構成中の差分信号生成部（ＴＰＰ）１３１〜乗算器１３２〜ゲイン制御部（Ｋ２）１３３を経由して得られる信号である。
【０１０１】
［４．Ｍ系列乱数データを記録データとしたディスクからのデータ再生処理のシミュレーション処理例について］
次に、上述したＳｕｍ信号とＴＰＰ信号を利用したデータ再生処理のシミュレーション処理例について説明する。
【０１０２】
図１２は、以下の条件設定によるデータ記録、データ再生を行なった場合のシミュレーションによる再生データの例を示す図である。
条件設定は以下の通りである。
光ピックアップのレーザ波長：λ＝４０５ｎｍ
光ピックアップの開口数：ＮＡ＝０．８５
カットオフマーク長（カットオフ周期の半分）：λ／４ＮＡ＝１１９ｎｍ
記録データ＝Ｍ系列（乱数）
最短マーク（ピット）長：１Ｔ＝１１０ｎｍ（カットオフマーク長以下）
キャリア周期：ｐ＝８２．５ｎｍ
データ記録は、１つのトラックのみにデータ記録を行い、隣接トラックにはデータ記録を行わない孤立トラック方式とした。
【０１０３】
図１２には、上記の条件設定に基づく再生シミュレーションの結果として、以下の各図を示している。
（１）ディスクからの読み取り信号から取得されるＳｕｍ信号と、ＴＰＰ信号、
（２）Ｓｕｍ信号のみを利用した再生信号パターン、
（３）Ｓｕｍ信号とＴＰＰ信号を利用した再生信号パターン、
これらの各データ（シミュレーション結果）を示している。
【０１０４】
図１２（１）には、ディスクからの読み取り信号から取得されるＳｕｍ信号と、ＴＰＰ信号の信号例を示している。
この（１）に示す取得信号は、先に図６を参照して説明した再生装置構成を利用してディスク１００から光検出部１１２の分割ディテクタ（Ａ，Ｂ）に基づいて得られる以下の２つの信号の信号例を示している。
（ａ）Ｓｕｍ信号（Ａ＋Ｂ）
（ｂ）ＴＰＰ信号（Ａ−Ｂ）
【０１０５】
（ａ）Ｓｕｍ信号（Ａ＋Ｂ）は、図６の構成における加算信号生成部（Ｓｕｍ）１２１の出力信号に相当する。
（ｂ）ＴＰＰ信号（Ａ−Ｂ）は、図６の構成における差分信号生成部（ＴＰＰ）１３１の出力信号に相当する。
【０１０６】
図１２（２）は、Ｓｕｍ信号（Ａ＋Ｂ）のみを利用して得られる再生信号例を示している。図６の構成におけるゲイン制御部１２２の出力信号に相当する。
図６（１）に示すＳｕｍベース再生信号に対応する再生信号である。
図１２（２）に示すＳｕｍ信号のみを利用した再生信号は、カットオフ周波数Ｆｃより低い周波数成分である低周波成分の信号は、波形の上部と下部に振り分けられる。すなわち１，０の信号値として再生することができる。
しかし、カットオフ周波数Ｆｃより高い周波数成分である高周波成分の信号は、波形の上部と下部に振り分けられず、中央部、すなわち波形の上下方向の中心境界領域に集中してしまい、結果として、１，０の信号値として再生することができない。
【０１０７】
図１２（３）は、Ｓｕｍ信号（Ａ＋Ｂ）とＴＰＰ信号（Ａ−Ｂ）を利用して得られる再生信号例を示している。図６の構成における合成信号生成部１４１の出力に相当する。
【０１０８】
図１２（３）に示す再生信号は、以下の２つの合成信号となる。
（ａ）記録信号中に含まれるカットオフ周波数（Ｆｃ）以下の低周波成分については、Ｓｕｍベース再生信号、
（ｂ）記録信号中に含まれるカットオフ周波数（Ｆｃ）以上の高周波成分については、ＴＰＰベース再生信号、
【０１０９】
なお、Ｓｕｍベース再生信号は、図６に示す構成中の加算信号生成部（Ｓｕｍ）１２１〜ゲイン制御部（Ｋ１）１２２を経由して得られる信号である。
また、ＴＰＰベース再生信号は、差分信号生成部（ＴＰＰ）１３１〜乗算器１３２〜ゲイン制御部（Ｋ２）１３３を経由して得られる信号である。
【０１１０】
このＴＰＰベース再生信号は、以下の２つの信号、すなわち、
（ａ）トラック方向に記録されたカットオフ周波数Ｆｃより高い周波数を持つキャリア（凹凸パターン）、
（ｂ）上記キャリア上に記録されたマーク列からなる記録信号、
これら２つの異なる信号の重畳信号（モアレ信号）から、キャリア信号成分を取り除いた信号である。
【０１１１】
モアレ信号は、カットオフ周波数（Ｆｃ）より高い高周波信号となるディスク上のキャリア信号と、記録信号中のカットオフ周波数（Ｆｃ）より高い高周波信号部分との重複領域で、低域周波数において顕著に発生する。
すなわち、記録信号がカットオフ周波数（Ｆｃ）より低い低周波部分では明確なモアレ信号が発生しにくくなり、ＴＰＰベース再生信号からは、記録信号中の高周波領域の信号のみが取り出される。
【０１１２】
従って、この、ＴＰＰベース再生信号から得られる記録信号中の高周波領域の信号と、Ｓｕｍベース再生信号から得られる記録信号中のカットオフ周波数（Ｆｃ）より低い低周波領域の信号を、合成信号生成部１４１において組み合わせることで、図１２（２）に示す再生信号、すなわち、記録信号に含まれる低周波〜高周波の広い周波数帯の再生信号を取得することができる。
【０１１３】
［５．（１，７）ＲＬＬデータを記録データとしたディスクからのデータ再生処理のシミュレーション処理例について］
次に、多くのＢＤ（Ｂｌｕ−Ｒａｙ（登録商標）  Ｄｉｓｃ）における記録データとして利用される（１，７）ＲＬＬデータを記録データとしたディスクからのデータ再生処理のシミュレーション処理例について説明する。
【０１１４】
なお、ＢＤでは、従来の（１，７）ＲＬＬ変調方式を改善した（１，７）ＲＬＬ−ＰＰ変調方式（ＲＬＬ；Ｒｕｎ  Ｌｅｎｇｔｈ  Ｌｉｍｉｔｅｄ、ＰＰ：Ｐａｒｉｔｙ  ｐｒｅｓｅｒｖｅ／Ｐｒｏｈｉｂｉｔ  ｒｍｔｒ（ｒｅｐｅａｔｅｄ  ｍｉｎｉｍｕｍ  ｔｒａｎｓｉｔｉｏｎ  ｒｕｎｌｅｎｇｔｈ））が用いられる。
（１，７）ＲＬＬ−ＰＰ変調方式は、従来の（１，７）ＲＬＬ変調方式に対して、ＤＣ成分の抑圧、最短マークと最短スペースの繰り返し数の制限等、いくつかの改善がなされている。
【０１１５】
光ディスクに対する高密度記録再生形において利用される技術であるＲＬＬ（Ｒｕｎ  Ｌｅｎｇｔｈ  Ｌｉｍｉｔｅｄ）符号の概要について簡単に説明する。
光ディスクの記録容量が増大するに従って、記録密度も向上してきている。記録密度が高くなるとナイキスト条件を満たすことができなくなり符号間干渉が発生しやすくなる。ＲＬＬ（Ｒｕｎ  Ｌｅｎｇｔｈ  Ｌｉｍｉｔｅｄ）符号は記録密度の向上を実現しながら、エッジ間隔を広げることにより符号間干渉の発生を抑えることができる。ＲＬＬ符号は、ランレングス符号化の１つの態様であり、記録データであるｍビットデータを、ｍとは異なるｎビットデータに変換してランレングス符号化を行う際に、最長ランレングスと最短ランレングスを制限して符号化を行う手法である。
【０１１６】
ＲＬＬ符号における最小反転間隔［Ｔｍｉｎ］は以下の式で示される。
Ｔｍｉｎ＝（ｄ＋１）（ｍ／ｎ）Ｔｄ
なお、上記式において、
Ｔｄ、クロック幅、
であり、上記式において、ｄは、記録用変調データの［０］または［１］の値に応じてパルスの正負を反転させて生成する記録信号であるＮＲＺＩ（Ｎｏｎ  Ｒｅｔｕｒｎ  ｔｏ  Ｚｅｒｏ  Ｉｎｖｅｒｔｅｄ）信号で［０］が連続する最大個数となり、（ｄ＋１）は最短ランレングスとなる。なお、Ｔｍｉｎ／Ｔｄは記録密度比と呼ばれ、光学的な制限があるため長いほうが好都合である。
【０１１７】
また、ＲＬＬ符号における最大反転間隔［Ｔｍａｘ］は以下の式で示される。
Ｔｍａｘ＝（ｋ＋１）（ｍ／ｎ）Ｔｄ
となる。
なお、上記式において、
Ｔｄ、クロック幅、
であり、上記式において、ｋはＮＲＺＩ（Ｎｏｎ  Ｒｅｔｕｒｎ  ｔｏ  Ｚｅｒｏ  Ｉｎｖｅｒｔｅｄ）信号で［０］が連続する最大個数となり、（ｋ＋１）は最長ランレングスとなる。なお、Ｔｍａｘ／Ｔｄは安定的なクロック発生の観点より短いほうが好都合である。
【０１１８】
また、検出窓幅［Ｔｗ］は以下の式で定義される。
Ｔｗ＝（ｍ／ｎ）Ｔｄ
これは、ジッタ許容量となり得るので長いほうが好都合である。検出窓幅［Ｔｗ］が大きいほど、再生信号が読み取りやすいことになり、検出窓幅［Ｔｗ］が狭い場合は高精度な読み取りが必要となる。
【０１１９】
ＲＬＬ（Ｒｕｎ  Ｌｅｎｇｔｈ  Ｌｉｍｉｔｅｄ）符号の１つとして、２ビットデータを３ビットデータへの変調を基本とする（１，７）ＲＬＬ変調方式がある。
（１，７）ＲＬＬ変調方式に基づく変調とは、変調後のビットにおいて、連続する［０］の数が、最小１つ、最大７個の範囲となる（１，７）ＲＬＬのランレングス制限に従った変調データとするデータ変換方式である。
【０１２０】
（１，７）ＲＬＬ変調方式に基づく変調データに基づいて、同期信号が設定されたレコーディングフレーム（Ｒｅｃｏｒｄｉｎｇ  Ｆｒａｍｅ）と呼ばれる記録単位が生成されてディスクに記録される。
【０１２１】
なお、この変換処理においては、変換テーブルが使用される。
（１，７）ＲＬＬのランレングス規則に従った２ビットから３ビットへのデータ変調処理には、変換テーブルが利用される。具体的な変換テーブルの例を図１３に示す。
【０１２２】
図１３に示すように、変換テーブルは、各入力ビットに対応した変調データビットが対応付けられたテーブルとして構成される。例えば入力データが［００００００００］である場合、変調データビットは、［０１０１００１００１００］とされる。入力データが［１１］である場合、先行変調データビットが［ｘｘ１］であれば［０００］、先行変調データビットが［ｘｘ０］であれば［１０１］とされる。
【０１２３】
２ビットから３ビットへのデータ変換をこのテーブルに従って実行することにより、（１，７）ＲＬＬランレングス規則に従った変調データビットが生成される。
【０１２４】
以下に説明するシミュレーションは、（１，７）ＲＬＬデータを記録データとしたディスク（ＢＤ）からのデータ再生処理のシミュレーションであり、このシミュレーション結果に基づいて、ＢＤに対するデータ記録密度の増加の実現性を検討したものである。
この検討のために、以下の設定でシミュレーション、および評価実験を実行した。
（１）再生処理におけるノイズの影響を定量化するため、（１，７）ｐｐ、ｅ−ＭＬＳＥ評価を実行した。
なお、ｅ−ＭＬＳＥ（Ｍａｘｉｍｕｍ  Ｌｉｋｅｌｉｈｏｏｄ  Ｓｅｑｕｅｎｃｅ  Ｅｒｒｏｒ）は、再生データの評価指標値であり、詳細は後述する。
（２）ディスクに形成するキャリアを（１，７）ｐｐの３Ｔモノトーン（６Ｔ周期）周波数に設定した。これはカットオフ周波数（Ｆｃ）の１．５倍程度に相当する。
なお、この設定は、再生処理に適用するＳｕｍ信号やＴＰＰ信号の復調後のスペクトルの重なり領域を確保するための設定である。
（３）記録信号の（１，７）ｐｐ変調データの記録スペクトル帯域を、キャリア周波数以下に制限した。
（４）カットオフマーク長（カットオフ周期の半分）：λ／４ＮＡ＝１１９ｎｍ
（５）クロック長：１Ｔ＝８１ｎｍ
【０１２５】
図１４は、シミュレーションに用いた記録信号である（１，７）ＲＬＬ−ｐｐ変調データと、キャリア信号について説明する図である。
図１４（１）は、横軸：周波数、縦軸：振幅のグラフであり、３Ｔ周波数のキャリアと、記録信号としての（１，７）ＲＬＬ−ｐｐ変調データを示している。
シミュレーションにおいては、図１４（２）に示すように、記録信号としての（１，７）ＲＬＬ−ｐｐ変調データの広域をカットし、記録信号の（１，７）ｐｐ変調データの記録スペクトル帯域を、キャリア周波数以下に制限した。
これは、上記条件（３）に対応する設定である。
【０１２６】
上記条件（３）の必要性、すなわち、
（３）記録信号の（１，７）ｐｐ変調データの記録スペクトル帯域を、キャリア周波数以下に制限する。
この設定が必要な理由について、図１５を参照して説明する。
図１５には、以下の各信号を示している。
（１）キャリア信号と記録信号
（２）ＴＰＰ信号
（３）Ｓｕｍ信号
【０１２７】
図１５に示す（１）キャリア信号と記録信号は、図１４（２）を参照して説明したグラフと同じグラフであり、キャリア（３Ｔ）と、高域をカットした記録信号の周波数分布を示している。
記録信号としての（１，７）ＲＬＬ−ｐｐ変調データは、広域をカットし、スペクトル帯域を、キャリア周波数以下に制限している。
【０１２８】
この理由は、図１５（２）に実線で示された、ディスク上のキャリアと記録マーク（（１，７）変調データ）の掛け算により周波数シフトされた信号スペクトルの重なりをなくし、グラフ中に一点鎖線で示された帯域制限を施した記録マーク信号スペクトルのようにするためである。点線で示すＴＰＰ信号と、実線で示す記録信号（帯域制限を施した）との重なりをなくすためである。
このような重なりが発生すると、信号処理において、正確なデータ分析ができなくなる可能性がある。
このような重なりをなくし、正確な信号処理結果を取得するため、記録信号の（１，７）ｐｐ変調データの記録スペクトル帯域を、キャリア周波数以下に制限する必要がある。
【０１２９】
図１６は、このような帯域制限を施した記録信号を用いた再生信号の生成処理を説明する図である。
図１６には、以下の各図を示している。
（１）ＴＰＰ信号
（２）ＴＰＰ信号（シフト後）
（３）Ｓｕｍ信号
（４）Ｓｕｍ信号とＴＰＰ信号による読み取り可能信号
【０１３０】
図１６（１）に示すグラフは、先に図８（２）を参照して説明した差分信号生成部（ＴＰＰ）１３１の出力、すなわち２つのディテクタからの出力の差分信号Ａ−Ｂの信号特性を示すグラフである。
差分信号生成部（ＴＰＰ）１３１の出力（信号振幅）は、ディスク１００に記録されたデータの空間周波数に応じて図１６（１）に示す曲線（ＴＰＰ特性曲線）のように変化する。
【０１３１】
このＴＰＰ信号を、キャリア信号との掛け算により周波数シフトすることで記録信号成分の抽出が可能となる。
ＴＰＰ信号からキャリア信号成分を除去するための処理は、先に図６を参照して説明した乗算器１３２における処理、すなわち、ＴＰＰ信号とキャリア信号［Ｓｉｎ（２πｘ／ｐ）］との乗算処理である。
【０１３２】
図１６（１）に示すＴＰＰ信号に対するキャリア信号［Ｓｉｎ（２πｘ／ｐ）］との乗算処理により、図１６（２）に示す信号が得られる。
図１６（２）に示す信号は、図１６（１）に示すＴＰＰ信号を高周波領域にシフトした信号である。
【０１３３】
図１６（１）に示すＴＰＰ信号に対するキャリア信号［Ｓｉｎ（２πｘ／ｐ）］との乗算処理により、モアレとして低域周波数にシフトして再生された記録信号が元の周波数帯域に戻され、図１６（２）に示すＴＰＰ信号に含まれる記録信号のみの特性曲線、すなわち記録信号対応ＴＰＰ特性曲線が得られる。
【０１３４】
図１６（２）には、記録信号対応ＴＰＰ特性曲線と、帯域制限を施した記録信号を示している。記録信号対応ＴＰＰ特性曲線によって囲まれた領域が、ＴＰＰ信号による読み取り可能な領域となる。
グラフ中の一点鎖線は、ディスクの記録信号の周波数分布を示している。
この一点鎖線で示す記録信号領域中、実線で示す記録信号対応ＴＰＰ特性曲線の内側の領域が、ＴＰＰ信号によって再生可能な信号領域となる。
記録信号対応ＴＰＰ特性曲線の外側部分は、ＴＰＰ信号によって再生することができない信号領域となる。
【０１３５】
図１６（３）Ｓｕｍ信号には、先に図８（１）を参照して説明した空間周波数とＳｕｍ信号との対応関係を示すグラフと、Ｓｕｍ信号に基づく再生信号パターンを示している。
【０１３６】
グラフには、図６に示す加算信号生成部（Ｓｕｍ）１２１の出力、すなわち２つのディテクタからの出力の加算信号Ａ＋Ｂの信号特性、すなわちＳｕｍ特性曲線と、帯域制限を施した記録信号を示している。
加算信号生成部（Ｓｕｍ）１２１の出力（信号振幅）は、ディスク１００に記録されたデータの空間周波数に応じて図１６（３）に示すグラフのように変化する。
すなわち、空間周波数が高くなるほど、すなわちディスクの記録密度が高くなるほど、Ｓｕｍ信号（Ａ＋Ｂ）の出力（信号振幅）が小さくなる。
空間周波数が、図のグラフに示す空間周波数＝Ｆｃより高いと、信号振幅は０になり、これ以上の空間周波数の記録密度を持つディスクの記録データは判別できないことになる。
【０１３７】
前述したように、この読み取り限界となる空間周波数であるカットオフ周波数：Ｆｃは、光ピックアップのレーザ光の波長をλとし、光ピックアップを構成するレンズの開口数をＮＡとした場合の解像限界であり、Ｆｃ＝２ＮＡ／λとなる。
【０１３８】
グラフ中の一点鎖線は、ディスク１００に記録された記録信号の周波数分布を示している。
記録信号は、カットオフ周波数（Ｆｃ）より低い周波数から高い周波数まで、様々な周波数成分を含む信号である。
【０１３９】
この一点鎖線で示す記録信号中、点線で示すＳｕｍ特性曲線の内側部分が、Ｓｕｍ信号によって再生可能な信号領域となる。
実線で示すＳｕｍ特性曲線の外側部分は、Ｓｕｍ信号によって再生することができない信号領域となる。
【０１４０】
図１６（３）に示すグラフ中の「Ｓｕｍ信号による読み取り可能領域」は、記録信号中の低周波領域の信号に対応する。
一方、図１６（２）に示すグラフ中の「ＴＰＰ信号による読み取り可能領域」は、記録信号中の高周波領域の信号に対応する。
これらの２つの信号を組み合わせることで、図１６（４）に示す「Ｓｕｍ信号とＴＰＰ信号による読み取り可能信号」が得られる。
この信号は、図６に示す構成注の合成信号生成部１４１の出力に対応する。
【０１４１】
図１６（４）に示す「Ｓｕｍ信号とＴＰＰ信号による読み取り可能信号」は。以下の２つの組み合わせとなる。
（ａ）図１６（２）に示すグラフ中の「ＴＰＰ信号による読み取り可能領域」に対応する高周波成分信号領域
（ｂ）図１６（３）に示すグラフ中の「Ｓｕｍ信号による読み取り可能領域」に対応する低周波信号領域
【０１４２】
なお、前述したように、Ｓｕｍ信号に基づく再生信号は、図６に示す構成中の加算信号生成部（Ｓｕｍ）１２１〜ゲイン制御部（Ｋ１）１２２を経由して得られる信号である。
また、ＴＰＰ信号に基づ再生信号は、図６に示す構成中の差分信号生成部（ＴＰＰ）１３１〜乗算器１３２〜ゲイン制御部（Ｋ２）１３３を経由して得られる信号である。
【０１４３】
このように、Ｓｕｍ信号とＴＰＰ信号を併用することで、カットオフ周波数以下の低周波領域から、カットオフ周波数以上の高周波領域までの幅色い周波数帯の信号を再生することができる。
【０１４４】
なお、ディスクに対するキャリアの形成、すなわちキャリアグルーブとしての凹凸パターンの形成態様としては、複数の異なる態様がある。
図１７を参照して、２つのキャリア形成態様について説明する。
図１７には、以下の２つの異なるキャリアを形成したディスクを示している。
（Ａ）千鳥パターンキャリアグルーブ形成ディスク
（Ｂ）放射パターンキャリアグルーブ形成ディスク
【０１４５】
（Ａ）千鳥パターンキャリアグルーブ形成ディスクは、ディスク上の隣接するトラックにおいて、凹部と凸部が交互に配列されたキャリアグルーブ（凹凸パターン）を持つディスクである。
（Ｂ）放射パターンキャリアグルーブ形成ディスクは、ディスク上の隣接するトラックにおいて、凹部位置と凸部位置が揃うように配列されたキャリアグルーブ（凹凸パターン）を持つディスクである。
【０１４６】
ディスクに対する記録データとサーボデータの記録例について、図１８、図１９を参照して説明する。
図１８は、図１７（Ａ）に示す千鳥パターンキャリアグルーブ形成ディスクの記録データとサーボデータの記録例を示す図である。
例えば映画等のコンテンツを構成する記録データと、サーボデータとは交互に配列される。すなわち、図に示すように、記録データを記録する記録エリアと、サーボデータを記録するサーボエリアが交互に記録される。
【０１４７】
千鳥パターンキャリアグルーブ（凹凸パターン）は記録エリアに形成される。
図に示すように、隣接トラック間において凹部と凸部の位置が交互に配列される。
記録エリアに記録される記録信号には、カットオフ周波数を越える高周波領域の信号が含まれる。
【０１４８】
サーボエリアに記録されるサーボデータは、前述のＴＰＰ信号を利用することなく通常のＳｕｍ信号のみで読み取り可能な周波数帯域のデータとしてサーボデータが記録される。図に示す例では１０Ｔ〜１４Ｔのマークによってサーボデータを記録している。
【０１４９】
図１９は、図１７（Ｂ）に示す）放射パターンキャリアグルーブ形成ディスクの記録データとサーボデータの記録例を示す図である。
例えば映画等のコンテンツを構成する記録データと、サーボデータとは交互に配列される。すなわち、図に示すように、記録データを記録する記録エリアと、サーボデータを記録するサーボエリアが交互に記録される。
【０１５０】
放射パターンキャリアグルーブ（凹凸パターン）は記録エリアに形成される。
図に示すように、隣接トラック間において凹部と凸部の位置は並んで配列される。
記録エリアに記録される記録信号には、カットオフ周波数を越える高周波領域の信号が含まれる。
【０１５１】
サーボエリアに記録されるサーボデータは、前述のＴＰＰ信号を利用することなく通常のＳｕｍ信号のみで読み取り可能な周波数帯域のデータとしてサーボデータが記録される。図に示す例では１０Ｔ〜１４Ｔのマークによってサーボデータを記録している。
【０１５２】
図２０は、記録データとして、カットオフ周波数より高い周波数帯域の記録信号を含むデータを記録したディスクからのデータ再生処理を実行する再生処理構成を示す図である。
具体的には、例えば、図１４〜図１６を参照して説明した高域カットした（１，７）ＲＬＬ−ｐｐ信号を、図１７（Ａ）、図１９を参照して説明した千鳥パターンキャリアグルーブ形成ディスクに記録して再生する再生回路の具体的構成例を示す図である。
【０１５３】
図２０に示す回路構成を用いたデータ再生処理について説明する。
ディスク２００は、カットオフ周波数より高い周波数帯域の記録信号を含むデータを記録したディスクである。具体的には、例えば、前述した高域カットした（１，７）ＲＬＬ−ｐｐ信号を、千鳥パターンキャリアグルーブ形成ディスクに記録したディスクである。
【０１５４】
光検出部３００は、先に図１、図６等を参照して説明した２分割されたディテクタを有する検出部である。
ただし、読み出し対象となる１つのトラックの他、両隣の２つのトラックからも反射光を受光する。
図に示すＡ，Ｂの矩形が読み出し対象となる中心のトラックからの受光領域であり、両サイドの矩形が隣接トラックからの受光領域を示している。
【０１５５】
適応イコライザ３０１は、読み出し対象トラックからの反射光のディテクタＢの検出信号を抽出するため、光検出部３００に入射する隣接トラックからのノイズ信号等を除去する処理を実行する。
具体的には、読み出しトラックと隣接する２つのトラックの信号を適応等化型フィルタに入力し、読み出し対象トラックの理想信号に向けた適応等化処理を実行して、読み出し対象トラックの信号を取得する。
読み出し対象トラックの理想信号は、ＰＲターゲット信号生成部３０７から出力される。
適応イコライザ３０１の出力は、読み出し対象トラックの信号Ｂとなる。
【０１５６】
一方、適応イコライザ３０２も、読み出し対象トラックからの反射光のディテクタＡの検出信号を抽出するため、光検出部３００に入射する隣接トラックからのノイズ信号等を除去する処理を実行する。
具体的な処理は、適応イコライザ３０１と同様であり、読み出しトラックと隣接する２つのトラックの信号を適応等化型フィルタに入力し、読み出し対象トラックの理想信号に向けた適応等化処理を実行して、読み出し対象トラックの信号を取得する。
読み出し対象トラックの理想信号は、ＰＲターゲット信号生成部３０７から出力される。
【０１５７】
適応イコライザ３０２の出力は、読み出し対象トラックの信号Ａとなる。
これらの信号Ａ，Ｂは、図１、図６を参照して説明した光ピックアップの出力である信号（Ａ，Ｂ）に相当する。
【０１５８】
適応イコライザ３０１，３０２の出力信号（Ａ，Ｂ）は、加算信号生成部（Ｓｕｍ）３０３と、差分信号生成部（ＴＰＰ）３０４に入力される。
【０１５９】
加算信号生成部（Ｓｕｍ）３０３は、適応イコライザ３０１，３０２の出力信号（Ａ，Ｂ）の加算信号（Ａ＋Ｂ）を生成する。
一方、差分信号生成部（ＴＰＰ）３０４は、適応イコライザ３０１，３０２の出力信号（Ａ，Ｂ）の差分信号（Ａ−Ｂ）を生成する。
【０１６０】
加算信号生成部（Ｓｕｍ）３０３の生成した加算信号（Ａ＋Ｂ）は適応イコライザ３０５に入力される。
一方、差分信号生成部（ＴＰＰ）３０４の生成した差分信号（Ａ−Ｂ）は乗算器３１１に入力される。
乗算器３１１は、差分信号（Ａ−Ｂ）と、キャリア生成部３１０の生成したキャリア信号［Ｓｉｎ（２πｘ／ｐ）］との乗算処理を実行する。
この処理は、図１６を参照して説明した図１６（１）ＴＰＰ信号から、図１６（２）ＴＰＰ信号（シフト後）の生成処理に相当する。
すなわち、ＴＰＰ信号中に含まれる、キャリアグルーブと記録マーク信号の掛け算により周波数シフトされた信号を、元の周波数帯域に戻す処理に相当する。
【０１６１】
適応イコライザ３０５は、加算信号生成部（Ｓｕｍ）３０３の生成した加算信号（Ａ＋Ｂ）と、乗算器３１１の生成したシフト後のＴＰＰ信号を入力し、さらに、ＰＲＭＬ（Ｐｅｒｔｉａｌ  Ｒｅｓｐｏｎｓｅ  Ｍａｘｉｍｕｍ  Ｌｉｋｅｌｉｈｏｏｄ）デコーダ３０６とＰＲターゲット信号生成部３０７の生成するターゲット信号を入力し、これらの入力に基づいて、ノイズ成分の除去処理等を実行し、生成信号をＰＲＭＬデコーダ３０６、ＰＬＬ３０９、減算器３０８に出力する。
【０１６２】
ＰＲＭＬデコーダ３０６は、適応イコライザ３０５から入力する加算信号（Ａ＋Ｂ）とシフト後のＴＰＰ信号を入力し、最尤復号方式により最も確からしい再生信号を生成する。
具体的には、例えばビタビ復号方式が適用される。ビタビ復号は、加算，比較，選択という単純な処理の繰り返しと、最終的にデータを復号するトレースバック操作で畳み込み符号の最尤復号を実現する。ビタビ復号では、情報ビット１ビットに対応する符号化データ（受信データ系列）を得るごとに、その時点での各状態のパスの信号間距離（メトリック）を計算し、最も確からしいパスを求める。
この復号処理により、再生信号が出力される。
【０１６３】
再生信号は、例えば、先に図１６（４）を参照して説明したように、カットオフ周波数より低い低周波数成分から、カットオフ周波数より高い高周波数成分まで含む再生信号となる。
【０１６４】
なお、ＰＲＭＬデコーダ３０６には、適応イコライザ３０５の出力に基づいてクロック信号を生成するＰＬＬ３０９からクロック信号が入力され、クロック制御の下で再生信号の生成、出力が実行される。
ＰＬＬ３０９は、適応イコライザ３０５の出力に含まれるサーボ信号に従ったクロック信号生成処理を実行する。
ＰＬＬ３０９の生成するクロック信号は、キャリア生成部３１０にも入力され、キャリア生成部３１０は、クロック信号に基づいて、サーボエリア以外の記録データ領域の再生タイミングに合わせて、キャリア信号［Ｓｉｎ（２πｘ／ｐ）］を乗算器３１１に出力する。
乗算器３１１では、サーボエリア以外の記録データ領域の記録信号の再生時にのみ、選択的にキャリア信号［Ｓｉｎ（２πｘ／ｐ）］との乗算処理が実行される。
【０１６５】
また、ＰＲＭＬデコーダ３０６の生成する再生信号は、ＰＲターゲット生成部３０７に入力される。
ＰＲターゲット信号生成部３０７は、ＰＲＭＬデコーダ３０６の生成する再生信号に基づいて、後続する再生信号のターゲットを生成して減算器３０８に入力する。
減算器は、ターゲット信号と、適応イコライザ３０５の生成信号との差分を算出し、この差分をターゲットに対する差分（エラー量）として、適応イコライザ３０１，３０２，３０５にフィードバックする。
適応イコライザ３０１，３０２，３０５は、この差分（エラー量）を入力して適応等化処理を実行して出力信号を生成する。
【０１６６】
なお、図２０に示す回路構成に従った再生処理は、例えば、再生装置（情報処理装置）の記憶部に格納された再生処理プログラムの制御の下で実行する構成とすることが可能である。
【０１６７】
図２１は、ディスクに形成するキャリアグルーブの種類に応じた再生信号の評価結果を示す図である。
図２１に示すグラフには、以下の６種類のディスクの再生評価値を示している。
（ａ）キャリアなし、かつ隣接トラックに記録データなし
（ｂ）キャリアなし、かつ隣接トラックに記録データあり
（ｃ）千鳥型キャリアあり、かつ隣接トラックに記録データなし
（ｄ）千鳥型キャリアあり、かつ隣接トラックに記録データあり
（ｅ）放射型キャリアあり、かつ隣接トラックに記録データなし
（ｆ）放射型キャリアあり、かつ隣接トラックに記録データあり
【０１６８】
図２１に示すグラフの横軸はディスクに対するデータ記録密度（ＧＢＬ：ギガバイトリニアデンシティ）、縦軸は再生信号評価値としてのｅ−ＭＬＳＥ（％）である。
なお、ディスクに対する記録信号と、キャリア設定条件は以下の通りである。
Ｔｐ＝０．２２５μｍ
キャリア：線方向、キャリア周期＝３Ｔ、凹凸パターンの深さ＝λ／８
マーク位相なし、振幅＝０．３
【０１６９】
再生信号の評価値として適用したｅ−ＭＬＳＥについて説明する。
再生信号の評価値として、従来からｉ−ＭＬＳＥが知られている。ＭＬＳＥ（Ｍａｘｉｍｕｍ  Ｌｉｋｅｌｉｈｏｏｄ  Ｓｅｑｕｅｎｃｅ  Ｅｒｒｏｒ）は、ビタビ検出されたデータを用いて設定されるターゲットレベルに対して実際の信号のレベルの差を用いて、エラー確率に対応した指標を計算したものである。
ｉ−ＭＬＳＥでは、いくつかのエラーを引き起こしやすいデータパターンに重みを付けして計算が行われる。
しかし、より記録密度を高くした場合には、エラーを引き起こしやすいデータパターンが異なってくる。その結果、従来の信号指標値であるｉ−ＭＬＳＥの誤差が問題となってくる。そこで、より高い線密度での信号指標値の精度改善のために必要となる、新たなデータパターンを追加したｉ−ＭＬＳＥとは別の信号評価値であるｅ−ＭＬＳＥを用いた。
【０１７０】
再生評価値として適用したｅ−ＭＬＳＥは、再生信号に含まれるエラーの確率を示している。すなわち、ｅ−ＭＬＳＥの値は、より低い値がエラー率が低く良好な再生信号が得られていることを示す。
例えば、図２１に示すグラフにおいてｅ−ＭＬＳＥ＝１５％以下の場合に良好な再生信号であると言える。
【０１７１】
図２１に示すグラフから、以下の結論が導き出される。
（１）キャリアなしディスクより、キャリア形成ディスクの方が評価値（ｅ−ＭＬＳＥ）の値が小さく、エラーの少ない高品質の再生データが得られる。
（２）放射型キャリア形成ディスクより、千鳥型キャリア形成ディスクの方が評価値（ｅ−ＭＬＳＥ）の値が小さく、エラーの少ない高品質の再生データが得られる。
【０１７２】
すなわち、高密度記録ディスクでは、再生データの品質は、高品質〜低品質の順番は、以下の順番となる。
（１）千鳥型キャリア、
（２）放射型キャリア、
（３）キャリアなし、
【０１７３】
［６．その他の再生回路構成例について］
ディスクからのデータ再生処理を実行する再生装置の具体的な回路構成の一例について、図２０を参照して説明した。
再生処理を実行する回路構成は、図２０に示す回路に限らず、様々な異なる構成をとすることが可能である。
図２２に示す構成は、図２０とは異なる構成を有する再生処理回路構成の一例である。
【０１７４】
図２２に示す再生処理回路は、先に説明した図２０と同様、記録データとして、カットオフ周波数より高い周波数帯域の記録信号を含むデータを記録したディスクからのデータ再生処理を実行する再生処理構成を示す図である。
具体的には、例えば、図１４〜図１６を参照して説明した高域カットした（１，７）ＲＬＬ−ｐｐ信号を、図１７（Ａ）、図１９を参照して説明した千鳥パターンキャリアグルーブ形成ディスクに記録して再生する再生回路の具体的構成例を示す図である。
【０１７５】
図２２に示す回路構成を用いたデータ再生処理について説明する。
ディスク２００は、カットオフ周波数より高い周波数帯域の記録信号を含むデータを記録したディスクである。具体的には、例えば、前述した高域カットした（１，７）ＲＬＬ−ｐｐ信号を、千鳥パターンキャリアグルーブ形成ディスクに記録したディスクである。
【０１７６】
光検出部３２０は、先に図１、図６等を参照して説明した２分割されたディテクタを有する検出部である。
ただし、読み出し対象となる１つのトラックの他、両隣の２つのトラックからも反射光を受光する。
図に示すＡ，Ｂの矩形が読み出し対象となる中心のトラックからの受光領域であり、両サイドの矩形が隣接トラックからの受光領域を示している。
【０１７７】
図２２に示す構成では、読み出しトラックのＡ，Ｂ各ディテクタ検出信号と、両隣の隣接トラックのＡ，Ｂ各ディテクタ検出信号を、それぞれ個別の加算信号算出部３２１、差分信号算出部３２２に入力する。
【０１７８】
３つの加算信号算出部３２１の出力は、読み出しトラックのＡ，Ｂ各ディテクタ検出信号である加算信号（Ａ＋Ｂ）と、読み出しトラックの両隣の隣接トラックのＡ，Ｂ各ディテクタ検出信号の加算信号の３つのトラック対応の加算信号を適応イコライザ（Ｓｕｍ）３２５に入力する。
【０１７９】
適応イコライザ３２５は、読み出し対象トラックからの加算信号（Ａ＋Ｂ）を抽出するため、光検出部３００に入射する隣接トラック対応の加算信号、すなわちノイズ信号によって構成される加算信号（Ａｎ＋Ｂｎ）を除去する処理を実行する。
具体的には、読み出しトラックの加算信号（Ａ＋Ｂ）と隣接する２つのトラックのノイズ加算信号（Ａｎ＋Ｂｎ）を適応等化型フィルタに入力し、読み出し対象トラックの理想信号（理想Ｓｕｍ信号）に向けた適応等化処理を実行して、読み出し対象トラックの加算信号（Ａ＋Ｂ）を取得する。
読み出し対象トラックの理想信号である理想Ｓｕｍ信号３３１は、ＰＲターゲット信号生成部３２９から出力される。
適応イコライザ３２５の出力は、読み出し対象トラックの加算信号Ａ＋Ｂとなる。
【０１８０】
一方、適応イコライザ３２６は、読み出し対象トラックからの差分信号（Ａ−Ｂ）を抽出するため、光検出部３００に入射する隣接トラック対応の差分信号、すなわちノイズ信号によって構成される差分信号（Ａｎ−Ｂｎ）を除去する処理を実行する。
具体的には、読み出しトラックの差分信号（Ａ−Ｂ）と隣接する２つのトラックのノイズ差分信号（Ａｎ−Ｂｎ）を適応等化型フィルタに入力し、読み出し対象トラックの理想信号（理想ＴＰＰ信号）に向けた適応等化処理を実行して、読み出し対象トラックの差分信号（Ａ−Ｂ）を取得する。
読み出し対象トラックの理想信号である理想ＴＰＰ信号３３２は、ＰＲターゲット信号生成部３２９から出力される。
適応イコライザ３２６の出力は、読み出し対象トラックの差分信号Ａ−Ｂとなる。
【０１８１】
適応イコライザ３２６の生成した加算信号（Ａ＋Ｂ）は適応イコライザ３２７に入力される。
一方、適応イコライザ３２６の生成した差分信号（Ａ−Ｂ）は乗算器３３５に入力される。
乗算器３３５は、差分信号（Ａ−Ｂ）と、キャリア生成部３３４の生成したキャリア信号［Ｓｉｎ（２πｘ／ｐ）］との乗算処理を実行する。
この処理は、図１６を参照して説明した図１６（１）ＴＰＰ信号から、図１６（２）ＴＰＰ信号（シフト後）の生成処理に相当する。
すなわち、ＴＰＰ信号中に含まれる、キャリアグルーブと記録マーク信号の掛け算により周波数シフトされた信号を、元の周波数帯域に戻す処理に相当する。
【０１８２】
適応イコライザ３２７は、適応イコライザ３２５の生成した加算信号（Ａ＋Ｂ）と、乗算器３３５の生成したシフト後のＴＰＰ信号を入力し、さらに、ＰＲＭＬ（Ｐｅｒｔｉａｌ  Ｒｅｓｐｏｎｓｅ  Ｍａｘｉｍｕｍ  Ｌｉｋｅｌｉｈｏｏｄ）デコーダ３２８とＰＲターゲット信号生成部３２９の生成するターゲット信号を入力し、これらの入力に基づいて、ノイズ成分の除去処理等を実行し、生成信号をＰＲＭＬデコーダ３２８、ＰＬＬ３３３、減算器３６０に出力する。
【０１８３】
ＰＲＭＬデコーダ３２８は、適応イコライザ３２７から入力する加算信号（Ａ＋Ｂ）とシフト後のＴＰＰ信号を入力し、最尤復号方式により最も確からしい再生信号を生成する。
具体的には、例えばビタビ復号方式が適用されるる。ビタビ復号は、加算，比較，選択という単純な処理の繰り返しと、最終的にデータを復号するトレースバック操作で畳み込み符号の最尤復号を実現する。ビタビ復号では、情報ビット１ビットに対応する符号化データ（受信データ系列）を得るごとに、その時点での各状態のパスの信号間距離（メトリック）を計算し、最も確からしいパスを求める。
この復号処理により、再生信号が出力される。
【０１８４】
再生信号は、例えば、先に図１６（４）を参照して説明したように、カットオフ周波数より低い低周波数成分から、カットオフ周波数より高い高周波数成分まで含む再生信号となる。
【０１８５】
なお、ＰＲＭＬデコーダ３２８には、適応イコライザ３２７の出力に基づいてクロック信号を生成するＰＬＬ３３３からクロック信号が入力され、クロック制御の下で再生信号の生成、出力が実行される。
ＰＬＬ３３３は、適応イコライザ３２７の出力に含まれるサーボ信号に従ったクロック信号生成処理を実行する。
ＰＬＬ３３３の生成するクロック信号は、キャリア生成部３３４にも入力され、キャリア生成部３３４は、クロック信号に基づいて、サーボエリア以外の記録データ領域の再生タイミングに合わせて、キャリア信号［Ｓｉｎ（２πｘ／ｐ）］を乗算器３１１に出力する。
乗算器３３５では、サーボエリア以外の記録データ領域の記録信号の再生時にのみ、選択的にキャリア信号［Ｓｉｎ（２πｘ／ｐ）］との乗算処理が実行される。
【０１８６】
また、ＰＲＭＬデコーダ３２８の生成する再生信号は、ＰＲターゲット生成部３２９に入力される。
ＰＲターゲット信号生成部３２９は、ＰＲＭＬデコーダ３２８の生成する再生信号に基づいて、後続する再生信号のターゲットを生成する。
ターゲット信号は、理想Ｓｕｍ信号３３１と、理想ＴＰＰ信号３３２を含む。理想Ｓｕｍ信号３３１は、減算器３４１に入力される。理想ＴＰＰ信号３３２は減算器３４２に入力される。また、理想Ｓｕｍ信号と、理想ＴＰＰ信号を含む理想再生信号が減算器３３０に入力される。
【０１８７】
減算器３４１は、理想Ｓｕｍ信号３３１と、適応イコライザ３２５の生成信号との差分を算出し、この差分をターゲットに対する差分（エラー量）として、適応イコライザ３２５にフィードバックする。
適応イコライザ３２５は、この差分（エラー量）を入力して適応等化処理を実行して出力信号（Ａ＋Ｂ）を生成して出力する。
【０１８８】
減算器３４２は、理想ＴＰＰ信号３３２と、適応イコライザ３２６の生成信号との差分を算出し、この差分をターゲットに対する差分（エラー量）として、適応イコライザ３２６にフィードバックする。
適応イコライザ３２６は、この差分（エラー量）を入力して適応等化処理を実行して出力信号（Ａ−Ｂ）を生成して出力する。
【０１８９】
減算器３３０は、理想再生信号と、適応イコライザ３２７の生成信号との差分を算出し、この差分をターゲットに対する差分（エラー量）として、適応イコライザ３２７にフィードバックする。
適応イコライザ３２７は、この差分（エラー量）を入力して適応等化処理を実行して出力信号である再生信号を生成して出力する。
【０１９０】
この図２２に示す回路構成では、読み出しトラックのみならず、隣接トラックについても個別に加算信号、および差分信号を生成し、その後、適応等化処理によって、目的とする読み出しトラックの加算信号（Ａ＋Ｂ）と差分信号（Ａ−Ｂ）を算出する構成としている。
【０１９１】
なお、図２２に示す回路構成に従った再生処理は、例えば、再生装置（情報処理装置）の記憶部に格納された再生処理プログラムの制御の下で実行する構成とすることが可能である。
【０１９２】
さらに、異なる再生処理回路構成を図２３に示す。
図２３に示す回路は、図２２に示す回路と、ほぼ同様の回路構成であるが、クロック生成処理を実行するＰＬＬ３３３に対する入力を図２２に示す構成とは異なる設定としている。
【０１９３】
図２２に示す構成では、Ｓｕｍ信号（加算信号）とＴＰＰ信号（差分信号）を含む再生信号を生成する適応イコライザ３２７からの出力をＰＬＬ３３３に入力する構成としていた。
これに対して、図２３に示す構成では、Ｓｕｍ信号（加算信号（Ａ＋Ｂ））を生成して出力する適応イコライザ３２５の出力をＰＬＬ３３３に入力する構成としている。
【０１９４】
ＰＬＬ３３３は、ディスクに記録されたサーボエリアの記録信号に基づいてクロック信号を生成する構成であり、サーボエリアの記録信号は、Ｓｕｍ信号（加算信号（Ａ＋Ｂ））のみで読み取り可能な信号である。すなわちＴＰＰ信号によって読み取り可能なカットオフ周波数を越える高周波信号は利用しない。
従って、ＰＬＬ３３３に入力する信号を、ＴＰＰ信号を含む再生信号を生成する適応イコライザ３２７からの出力ではなく、Ｓｕｍ信号（加算信号（Ａ＋Ｂ））のみを出力する適応イコライザ３２５の出力としても、ＰＬＬ３３３は正しいクロック信号の生成を行うことができる。
【０１９５】
図２３に示す回路は、このＰＬＬ３３３に対する入力が異なるのみであり、その他の回路構成は図２２を参照して説明した構成と同じ構成である。
【０１９６】
なお、図２３に示す回路構成に従った再生処理についても、例えば、再生装置（情報処理装置）の記憶部に格納された再生処理プログラムの制御の下で実行する構成とすることが可能である。
【０１９７】
［７．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１９８】
なお、本明細書において開示した技術は、以下のような構成をとることができる。
（１）  ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記信号処理部は、
前記検出部Ａ，Ｂの各検出信号の差分信号であるＴＰＰ（Ｔａｎｇｅｎｔｉａｌ  Ｐｕｓｈ−ｐｕｌｌ）信号を生成し、
前記ＴＰＰ信号から、前記ディスクに記録された記録信号中の高周波成分信号を演算により抽出して再生信号を生成する情報処理装置。
【０１９９】
（２）  前記ディスクは、カットオフ周波数以上の高周波凹凸パターンからなるキャリアグルーブによって構成されるキャリア信号上に記録信号が記録された構成であり、
前記信号処理部は、
前記キャリア信号と前記記録信号の重複信号を周波数シフトした読み取り信号として得られる前記ＴＰＰ信号を、前記ディスクに記録された記録信号中の高周波成分領域へ周波数シフトする演算により、前記ディスクに記録された記録信号中の高周波成分信号を抽出する（１）に記載の情報処理装置。
【０２００】
（３）  前記演算は、前記ＴＰＰ信号に対するキャリア信号の乗算処理であり、
前記信号処理部は、
前記ＴＰＰ信号に対するキャリア信号の乗算処理により、前記ＴＰＰ信号を、前記ディスクに記録された記録信号中の高周波成分領域へ周波数シフトする（２）に記載の情報処理装置。
【０２０１】
（４）  前記信号処理部は、
前記検出部Ａ，Ｂの各検出信号の加算信号であるＳｕｍ信号と、
前記ＴＰＰ信号からキャリア信号成分を除去した記録信号対応ＴＰＰ信号との合成処理を実行して再生信号を生成する（１）〜（３）いずれかに記載の情報処理装置。
【０２０２】
（５）  前記信号処理部は、
前記Ｓｕｍ信号に基づいて、主にカットオフ周波数以下の周波数成分を含む再生信号を生成し、
前記ＴＰＰ信号に基づいて、主にカットオフ周波数以上の周波数成分を含む再生信号を生成する（１）〜（４）いずれかに記載の情報処理装置。
【０２０３】
（６）  前記ディスクは、カットオフ周波数以上の高周波凹凸パターンからなるキャリアグルーブが形成された構成であり、
前記キャリアグルーブを構成する凹凸パターンは、隣接トラックにおいて交互にずれた千鳥パターンを有する（１）〜（５）いずれかに記載の情報処理装置。
【０２０４】
（７）  前記ディスクは、カットオフ周波数以上の高周波凹凸パターンからなるキャリアグルーブが形成された構成であり、
前記キャリアグルーブを構成する凹凸パターンは、隣接トラック間において揃えられた放射パターンを有する（１）〜（５）いずれかに記載の情報処理装置。
【０２０５】
（８）  前記ディスクは、
記録信号を記録した記録エリアと、サーボ信号を記録したサーボエリアを交互に配列した構成を有し、
前記信号処理部は、
前記サーボ信号に基づくクロック信号を生成して再生信号生成処理におけるタイミング制御を実行する（１）〜（７）いずれかに記載の情報処理装置。
【０２０６】
（９）  前記信号処理部は、
前記光検出部の受光信号に含まれる隣接トラックの信号を除去する適応イコライザを有する（１）〜（８）いずれかに記載の情報処理装置。
【０２０７】
（１０）  前記信号処理部は、
ＰＲＭＬ（Ｐｅｒｔｉａｌ  Ｒｅｓｐｏｎｓｅ  Ｍａｘｉｍｕｍ  Ｌｉｋｅｌｉｈｏｏｄ）による最尤復号処理を実行する（１）〜（９）いずれかに記載の情報処理装置。
【０２０８】
（１１）  カットオフ周波数以上の高周波凹凸パターンからなるキャリアグルーブによって構成されるキャリア信号上に記録信号が記録された光ディスクであり、
再生装置において、
前記キャリア信号と前記記録信号の重複信号を周波数シフトしたＴＰＰ（Ｔａｎｇｅｎｔｉａｌ  Ｐｕｓｈ−ｐｕｌｌ）信号を読み取り、該ＴＰＰ信号を、前記光ディスクの記録信号中の高周波成分領域へ周波数シフトする演算により、前記光ディスクの記録信号中の高周波成分信号を抽出することを可能とした光ディスク。
【０２０９】
（１２）  前記演算は、前記ＴＰＰ信号に対するキャリア信号の乗算処理であり、
前記再生装置は、
前記ＴＰＰ信号に対するキャリア信号の乗算処理により、前記ＴＰＰ信号を、前記ディスクに記録された記録信号中の高周波成分領域へ周波数シフトすることで、
前記ＴＰＰ信号から、前記光ディスクに記録された記録信号中の高周波成分信号を抽出して再生信号を生成する（１１）に記載の光ディスク。
【０２１０】
（１３）  前記キャリアグルーブを構成する高周波凹凸パターンは、隣接トラックにおいて交互にずれた千鳥パターンである（１１）または（１２）に記載の光ディスク。
【０２１１】
（１４）  前記キャリアグルーブを構成する高周波凹凸パターンは、隣接トラック間において揃えられた放射パターンを有する（１１）または（１２）に記載の光ディスク。
【０２１２】
（１５）  前記光ディスクは、
記録信号を記録した記録エリアと、サーボ信号を記録したサーボエリアを交互に配列した構成である（１１）〜（１４）いずれかに記載の光ディスク。
【０２１３】
（１６）  情報処理装置において実行する情報処理方法であり、
前記情報処理装置は、
ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記信号処理部は、
前記検出部Ａ，Ｂの各検出信号の差分信号であるＴＰＰ（Ｔａｎｇｅｎｔｉａｌ  Ｐｕｓｈ−ｐｕｌｌ）信号を生成し、
前記ＴＰＰ信号から、前記ディスクに記録された記録信号中の高周波成分信号を演算により抽出して再生信号を生成する情報処理方法。
【０２１４】
（１７）  情報処理装置において情報処理を実行させるプログラムであり、
前記情報処理装置は、
ディスクからの反射光を受光する光検出部と、
前記光検出部の受光信号に対する信号処理を実行して再生信号を生成する信号処理部を有し、
前記光検出部は、前記ディスクのトラック方向に２分割された検出部Ａ，Ｂを有し、
前記プログラムは、前記信号処理部に、
前記検出部Ａ，Ｂの各検出信号の差分信号であるＴＰＰ（Ｔａｎｇｅｎｔｉａｌ  Ｐｕｓｈ−ｐｕｌｌ）信号の生成処理、
前記ＴＰＰ信号から、前記ディスクに記録された記録信号中の高周波成分信号を演算により抽出して再生信号を生成する処理を実行させるプログラム。
【０２１５】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２１６】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２１７】
以上、説明したように、本開示の一実施例の構成によれば、高密度データを再生可能とした光ディスクが実現され、高密度データを記録した光ディスクからのデータ再生を行なう再生装置が実現される。
具体的には、ディスクのトラック方向に２分割された検出部Ａ，Ｂを有する光検出部と信号処理部を有し、信号処理部は、検出部Ａ，Ｂの各検出信号の差分信号であるＴＰＰ（Ｔａｎｇｅｎｔｉａｌ  Ｐｕｓｈ−ｐｕｌｌ）信号を生成し、ＴＰＰ信号から、ディスクの記録信号中の高周波成分信号を抽出して再生信号を生成する。ディスクは、カットオフ周波数以上の高周波凹凸パターンからなるキャリア信号上に記録信号が記録された構成であり、信号処理部は、キャリア信号と記録信号の重複信号の周波数シフト信号としてディスクから読み取られるＴＰＰ信号に対して、キャリア信号を乗算することで、ＴＰＰ信号を高周波領域の周波数へシフトして、ディスク記録信号中の高周波成分信号を抽出する。
本構成により、高密度データを再生可能とした光ディスクが実現され、高密度データを記録した光ディスクからのデータ再生を行なう再生装置が実現される。
【符号の説明】
【０２１８】
１０  ディスク
１１  マーク（低反射率部）
１２  高反射率部
２０  光ピックアップ
２１  レーザ光出力部
２２  光検出部
２３  信号処理部
２４  加算信号生成部
１００  ディスク
１１０  光ピックアップ
１１１  レーザ光出力部
１１２  光検出部
１１３  信号処理部
１２１  加算信号生成部
１２２  ゲイン制御部
１３１  差分信号生成部
１３２  乗算器
１３３  ゲイン制御部
１４１  合成信号生成部
２００  ディスク
３００  光検出部
３０１  適応イコライザ
３０２  適応イコライザ
３０３  加算信号生成部
３０４  差分信号生成部
３０５  適応イコライザ
３０６  ＰＲＭＬデコーダ
３０７  ＰＲターゲット信号生成部
３０８  減算器
３０９  ＰＬＬ
３１０  キャリア生成部
３１１  乗算器
３２０  光検出部
３２１  加算信号生成部
３２２  差分信号生成部
３２５  適応イコライザ
３２６  適応イコライザ
３２７  適応イコライザ
３２８  ＰＲＭＬデコーダ
３２９  ＰＲターゲット信号生成部
３３０  減算器
３３１  理想Ｓｕｍ信号
３３２  理想ＴＰＰ信号
３３３  ＰＬＬ
３３４  キャリア生成部
３３５  乗算器
３４１  減算器
３４２  減算器
【図１】
2017094541.tif 000003
【図２】
2017094541.tif 000004
【図３】
2017094541.tif 000005
【図４】
2017094541.tif 000006
【図５】
2017094541.tif 000007
【図６】
2017094541.tif 000008
【図７】
2017094541.tif 000009
【図８】
2017094541.tif 000010
【図９】
2017094541.tif 000011
【図１０】
2017094541.tif 000012
【図１１】
2017094541.tif 000013
【図１２】
2017094541.tif 000014
【図１３】
2017094541.tif 000015
【図１４】
2017094541.tif 000016
【図１５】
2017094541.tif 000017
【図１６】
2017094541.tif 000018
【図１７】
2017094541.tif 000019
【図１８】
2017094541.tif 000020
【図１９】
2017094541.tif 000021
【図２０】
2017094541.tif 000022
【図２１】
2017094541.tif 000023
【図２２】
2017094541.tif 000024
【図２３】
2017094541.tif 000025
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
ディスクからの反射光を受光する光検出部と、
前記光検出部の受光信号に対する信号処理を実行して再生信号を生成する信号処理部を有し、
前記ディスクは、カットオフ周波数以上の高周波凹凸パターンからなるキャリアグルーブによって構成されるキャリア信号上に記録信号が記録された構成であり、
前記光検出部は、前記ディスクのトラック方向に２分割された検出部Ａ，Ｂを有し、
前記信号処理部は、
前記検出部Ａ，Ｂの各検出信号の差分信号であり、前記キャリア信号と前記記録信号の重複信号を周波数シフトした読み取り信号として得られるＴＰＰ（Ｔａｎｇｅｎｔｉａｌ  Ｐｕｓｈ−ｐｕｌｌ）信号を生成し、
生成したＴＰＰ信号を、前記ディスクに記録された記録信号中の高周波成分領域へ周波数シフトする演算により、前記ディスクに記録された記録信号中の高周波成分信号を抽出して再生信号を生成する情報処理装置。
【請求項２】
（削除）
【請求項３】
前記演算は、前記ＴＰＰ信号に対するキャリア信号の乗算処理であり、
前記信号処理部は、
前記ＴＰＰ信号に対するキャリア信号の乗算処理により、前記ＴＰＰ信号を、前記ディスクに記録された記録信号中の高周波成分領域へ周波数シフトする請求項１に記載の情報処理装置。
【請求項４】
前記信号処理部は、
前記検出部Ａ，Ｂの各検出信号の加算信号であるＳｕｍ信号と、
前記ＴＰＰ信号からキャリア信号成分を除去した記録信号対応ＴＰＰ信号との合成処理を実行して再生信号を生成する請求項１に記載の情報処理装置。
【請求項５】
前記信号処理部は、
前記Ｓｕｍ信号に基づいて、主にカットオフ周波数以下の周波数成分を含む再生信号を生成し、
前記ＴＰＰ信号に基づいて、主にカットオフ周波数以上の周波数成分を含む再生信号を生成する請求項１に記載の情報処理装置。
【請求項６】
前記ディスクは、カットオフ周波数以上の高周波凹凸パターンからなるキャリアグルーブが形成された構成であり、
前記キャリアグルーブを構成する凹凸パターンは、隣接トラックにおいて交互にずれた千鳥パターンを有する請求項１に記載の情報処理装置。
【請求項７】
前記ディスクは、カットオフ周波数以上の高周波凹凸パターンからなるキャリアグルーブが形成された構成であり、
前記キャリアグルーブを構成する凹凸パターンは、隣接トラック間において揃えられた放射パターンを有する請求項１に記載の情報処理装置。
【請求項８】
前記ディスクは、
記録信号を記録した記録エリアと、サーボ信号を記録したサーボエリアを交互に配列した構成を有し、
前記信号処理部は、
前記サーボ信号に基づくクロック信号を生成して再生信号生成処理におけるタイミング制御を実行する請求項１に記載の情報処理装置。
【請求項９】
前記信号処理部は、
前記光検出部の受光信号に含まれる隣接トラックの信号を除去する適応イコライザを有する請求項１に記載の情報処理装置。
【請求項１０】
前記信号処理部は、
ＰＲＭＬ（Ｐｅｒｔｉａｌ  Ｒｅｓｐｏｎｓｅ  Ｍａｘｉｍｕｍ  Ｌｉｋｅｌｉｈｏｏｄ）による最尤復号処理を実行する請求項１に記載の情報処理装置。
【請求項１１】
カットオフ周波数以上の高周波凹凸パターンからなるキャリアグルーブによって構成されるキャリア信号上に記録信号が記録された光ディスクであり、
再生装置において、
前記キャリア信号と前記記録信号の重複信号を周波数シフトしたＴＰＰ（Ｔａｎｇｅｎｔｉａｌ  Ｐｕｓｈ−ｐｕｌｌ）信号を読み取り、該ＴＰＰ信号を、前記光ディスクの記録信号中の高周波成分領域へ周波数シフトする演算により、前記光ディスクの記録信号中の高周波成分信号を抽出することを可能とした光ディスク。
【請求項１２】
前記演算は、前記ＴＰＰ信号に対するキャリア信号の乗算処理であり、
前記再生装置は、
前記ＴＰＰ信号に対するキャリア信号の乗算処理により、前記ＴＰＰ信号を、前記ディスクに記録された記録信号中の高周波成分領域へ周波数シフトすることで、
前記ＴＰＰ信号から、前記光ディスクに記録された記録信号中の高周波成分信号を抽出して再生信号を生成する請求項１１に記載の光ディスク。
【請求項１３】
前記キャリアグルーブを構成する高周波凹凸パターンは、隣接トラックにおいて交互にずれた千鳥パターンである請求項１１に記載の光ディスク。
【請求項１４】
前記キャリアグルーブを構成する高周波凹凸パターンは、隣接トラック間において揃えられた放射パターンを有する請求項１１に記載の光ディスク。
【請求項１５】
前記光ディスクは、
記録信号を記録した記録エリアと、サーボ信号を記録したサーボエリアを交互に配列した構成である請求項１１に記載の光ディスク。
【請求項１６】
情報処理装置において実行する情報処理方法であり、
前記情報処理装置は、
ディスクからの反射光を受光する光検出部と、
前記光検出部の受光信号に対する信号処理を実行して再生信号を生成する信号処理部を有し、
前記ディスクは、カットオフ周波数以上の高周波凹凸パターンからなるキャリアグルーブによって構成されるキャリア信号上に記録信号が記録された構成であり、
前記光検出部は、前記ディスクのトラック方向に２分割された検出部Ａ，Ｂを有し、
前記信号処理部は、
前記検出部Ａ，Ｂの各検出信号の差分信号であり、前記キャリア信号と前記記録信号の重複信号を周波数シフトした読み取り信号として得られるＴＰＰ（Ｔａｎｇｅｎｔｉａｌ  Ｐｕｓｈ−ｐｕｌｌ）信号を生成し、
生成したＴＰＰ信号を、前記ディスクに記録された記録信号中の高周波成分領域へ周波数シフトする演算により、前記ディスクに記録された記録信号中の高周波成分信号を抽出して再生信号を生成する情報処理方法。
【請求項１７】
情報処理装置において情報処理を実行させるプログラムであり、
前記情報処理装置は、
ディスクからの反射光を受光する光検出部と、
前記光検出部の受光信号に対する信号処理を実行して再生信号を生成する信号処理部を有し、
前記ディスクは、カットオフ周波数以上の高周波凹凸パターンからなるキャリアグルーブによって構成されるキャリア信号上に記録信号が記録された構成であり、
前記光検出部は、前記ディスクのトラック方向に２分割された検出部Ａ，Ｂを有し、
前記プログラムは、前記信号処理部に、
前記検出部Ａ，Ｂの各検出信号の差分信号であり、前記キャリア信号と前記記録信号の重複信号を周波数シフトした読み取り信号として得られるＴＰＰ（Ｔａｎｇｅｎｔｉａｌ  Ｐｕｓｈ−ｐｕｌｌ）信号を生成させ、
生成したＴＰＰ信号を、前記ディスクに記録された記録信号中の高周波成分領域へ周波数シフトする演算により、前記ディスクに記録された記録信号中の高周波成分信号を抽出して再生信号を生成する処理を実行させるプログラム。
【国際調査報告】
2017094541.tif 000026
2017094541.tif 000027
2017094541.tif 000028
2017094541.tif 000029